(57)【特許請求の範囲】
【請求項１】
電子デバイスによってチャネル変動メトリックを決定するための方法であって、
第１のパケットを受信することと、
第２のパケットを受信することと、
第１のパケットに対応する第１のチャネル推定値および第２のパケットに対応する第２のチャネル推定値に基づいて平均２乗誤差値を近似するチャネル変動メトリックを決定することと、
前記チャネル変動メトリックに基づいてオペレーションを実行することと、前記オペレーションは、シングルユーザ多入力多出力（ＳＵ−ＭＩＭＯ）モードとマルチユーザ多入力多出力（ＭＵ−ＭＩＭＯ）モードとの間で切り替わることを備える、
を備える、方法。
【請求項２】
前記チャネル変動メトリックは利得変動および位相変動に不感である、請求項１に記載の方法。
【請求項３】
オペレーションを実行することは、開ループモードに切り替わることをさらに備える、請求項１に記載の方法。
【請求項４】
オペレーションを実行することは、フィードバックを要求することを備える、請求項１に記載の方法。
【請求項５】
フィードバックを要求することは、前記チャネル変動メトリックがしきい値よりも小さいときに起こる、請求項４に記載の方法。
【請求項６】
オペレーションを実行することは、フィードバックを要求することなしに、マルチユーザ多入力多出力（ＭＵ−ＭＩＭＯ）パケットを送ることを備える、請求項１に記載の方法。
【請求項７】
オペレーションを実行することは、前記マルチユーザ多入力多出力（ＭＵ−ＭＩＭＯ）モードおよび前記シングルユーザ多入力多出力（ＳＵ−ＭＩＭＯ）モードのうちの少なくとも１つについてのフィードバック要求間の最大時間を決定することを備える、請求項１に記載の方法。
【請求項８】
前記チャネル変動メトリックを決定することは、
前記第１のパケットおよび前記第２のパケットに対応するチャネル測定値の絶対値を決定することと、
アンテナごとの平均振幅を決定することと、
アンテナごとの前記平均振幅に基づいて正規化値を決定することと、
前記正規化値を減算することと、
を備える、請求項１に記載の方法。
【請求項９】
前記チャネル変動メトリックを決定することは、トーンのサブセットに基づく、請求項１に記載の方法。
【請求項１０】
チャネル変動メトリックを決定するための通信デバイスであって、
第１のパケットを受信し、第２のパケットを受信する受信機回路と、
前記受信機回路に結合されたチャネル変動メトリック計算回路と、ここで、前記チャネル変動メトリック計算回路は、第１のパケットに対応する第１のチャネル推定値および第２のパケットに対応する第２のチャネル推定値に基づいて平均２乗誤差値を近似するチャネル変動メトリックを決定する、
前記チャネル変動メトリック計算回路に結合されたオペレーション回路と、ここで、前記オペレーション回路は、前記チャネル変動メトリックに基づいてオペレーションを実行し、前記オペレーションは、シングルユーザ多入力多出力（ＳＵ−ＭＩＭＯ）モードとマルチユーザ多入力多出力（ＭＵ−ＭＩＭＯ）モードとの間で切り替わることを備える、
を備える、通信デバイス。
【請求項１１】
前記チャネル変動メトリックが利得変動および位相変動に不感である、請求項１０に記載の通信デバイス。
【請求項１２】
オペレーションを実行することは、開ループモードに切り替わることをさらに備える、請求項１０に記載の通信デバイス。
【請求項１３】
オペレーションを実行することは、フィードバックを要求することを備える、請求項１０に記載の通信デバイス。
【請求項１４】
フィードバックを要求することは、前記チャネル変動メトリックがしきい値よりも小さいときに起こる、請求項１３に記載の通信デバイス。
【請求項１５】
オペレーションを実行することは、フィードバックを要求することなしにマルチユーザ多入力多出力（ＭＵ−ＭＩＭＯ）パケットを送ることを備える、請求項１０に記載の通信デバイス。
【請求項１６】
オペレーションを実行することは、前記マルチユーザ多入力多出力（ＭＵ−ＭＩＭＯ）モードおよび前記シングルユーザ多入力多出力（ＳＵ−ＭＩＭＯ）モードのうちの少なくとも１つについてのフィードバック要求間の最大時間を決定することを備える、請求項１０に記載の通信デバイス。
【請求項１７】
前記チャネル変動メトリックを決定することは、
前記第１のパケットおよび前記第２のパケットに対応するチャネル測定値の絶対値を決定することと、
アンテナごとの平均振幅を決定することと、
アンテナごとの前記平均振幅に基づいて正規化値を決定することと、
前記正規化値を減算することと、
を備える、請求項１０に記載の通信デバイス。
【請求項１８】
前記チャネル変動メトリックを決定することは、トーンのサブセットに基づく、請求項１０に記載の通信デバイス。
【請求項１９】
命令を有する非一時的有形コンピュータ可読媒体を備える、チャネル変動メトリックを決定するためのコンピュータプログラム製品であって、前記命令は、
通信デバイスに、第１のパケットを受信させるためのコードと、
前記通信デバイスに、第２のパケットを受信させるためのコードと、
前記通信デバイスに、第１のパケットに対応する第１のチャネル推定値および第２のパケットに対応する第２のチャネル推定値に基づいて平均２乗誤差値を近似するチャネル変動メトリックを決定させるためのコードと、
前記通信デバイスに、前記チャネル変動メトリックに基づいてオペレーションを実行させるためのコードと、前記オペレーションは、シングルユーザ多入力多出力（ＳＵ−ＭＩＭＯ）モードとマルチユーザ多入力多出力（ＭＵ−ＭＩＭＯ）モードとの間で切り替わることを備える、
を備える、コンピュータプログラム製品。
【請求項２０】
前記チャネル変動メトリックは利得変動および位相変動に不感である、請求項１９に記載のコンピュータプログラム製品。
【請求項２１】
前記通信デバイスにオペレーションを実行させるためのコードは、前記通信デバイスに、開ループモードに切り替えさせるためのコードをさらに備える、請求項１９に記載のコンピュータプログラム製品。
【請求項２２】
前記通信デバイスにオペレーションを実行させるためのコードは、前記通信デバイスに、フィードバックを要求させるためのコードを備える、請求項１９に記載のコンピュータプログラム製品。
【請求項２３】
フィードバックを要求することは、前記チャネル変動メトリックがしきい値よりも小さいときに起こる、請求項２２に記載のコンピュータプログラム製品。
【請求項２４】
オペレーションを実行することは、フィードバックを要求することなしにマルチユーザ多入力多出力（ＭＵ−ＭＩＭＯ）パケットを送ることを備える、請求項１９に記載のコンピュータプログラム製品。
【請求項２５】
前記通信デバイスに実行させるためのコードは、前記通信デバイスに、前記マルチユーザ多入力多出力（ＭＵ−ＭＩＭＯ）モードおよび前記シングルユーザ多入力多出力（ＳＵ−ＭＩＭＯ）モードのうちの少なくとも１つについてのフィードバック要求間の最大時間を決定させるためのコードを備える、請求項１９に記載のコンピュータプログラム製品。
【請求項２６】
前記通信デバイスに前記チャネル変動メトリックを決定させるためのコードは、
前記通信デバイスに前記第１のパケットおよび前記第２のパケットに対応するチャネル測定値の絶対値を決定させるためのコードと、
前記通信デバイスに、アンテナごとの平均振幅を決定させるためのコードと、
前記通信デバイスに、アンテナごとの前記平均振幅に基づいて正規化値を決定させるためのコードと、
前記通信デバイスに、前記正規化値を減算させるためのコードと、
を備える、請求項１９に記載のコンピュータプログラム製品。
【請求項２７】
前記通信デバイスに前記チャネル変動メトリックを決定させるためのコードは、トーンのサブセットに基づく、請求項１９に記載のコンピュータプログラム製品。
【請求項２８】
チャネル変動メトリックを決定するための装置であって、
第１のパケットを受信するための手段と、
第２のパケットを受信するための手段と、
第１のパケットに対応する第１のチャネル推定値および第２のパケットに対応する第２のチャネル推定値に基づいて平均２乗誤差値を近似するチャネル変動メトリックを決定するための手段と、
前記チャネル変動メトリックに基づいてオペレーションを実行するための手段と、前記オペレーションは、シングルユーザ多入力多出力（ＳＵ−ＭＩＭＯ）モードとマルチユーザ多入力多出力（ＭＵ−ＭＩＭＯ）モードとの間で切り替わることを備える、
を備える、装置。
【請求項２９】
前記チャネル変動メトリックは利得変動および位相変動に不感である、請求項２８に記載の装置。
【請求項３０】
オペレーションを前記実行するための手段は、開ループモードに切り替わるための手段をさらに備える、請求項２８に記載の装置。
【請求項３１】
オペレーションを実行するための手段は、フィードバックを要求するための手段を備える、請求項２８に記載の装置。
【請求項３２】
フィードバックを要求することは、前記チャネル変動メトリックがしきい値よりも小さいときに起こる、請求項３１に記載の装置。
【請求項３３】
オペレーションを実行するための手段は、フィードバックを要求することなしにマルチユーザ多入力多出力（ＭＵ−ＭＩＭＯ）パケットを送るための手段を備える、請求項２８に記載の装置。
【請求項３４】
オペレーションを前記実行するための手段は、前記マルチユーザ多入力多出力（ＭＵ−ＭＩＭＯ）モードおよび前記シングルユーザ多入力多出力（ＳＵ−ＭＩＭＯ）モードのうちの少なくとも１つについてのフィードバック要求間の最大時間を決定するための手段を備える、請求項２８に記載の装置。
【請求項３５】
前記チャネル変動メトリックを決定するための手段は、
前記第１のパケットおよび前記第２のパケットに対応するチャネル測定値の絶対値を決定するための手段と、
アンテナごとの平均振幅を決定するための手段と、
アンテナごとの前記平均振幅に基づいて正規化値を決定するための手段と、
前記正規化値を減算するための手段と、
を備える、請求項２８に記載の装置。
【請求項３６】
前記チャネル変動メトリックを決定するための手段は、トーンのサブセットに基づく、請求項２８に記載の装置。
【発明の詳細な説明】
【技術分野】
【０００１】
本開示は、一般に通信システムに関する。より詳細には、本開示は、チャネル変動メトリックを計算することに関する。
【背景技術】
【０００２】
[0002]通信システムは、データ、音声、ビデオなど、様々なタイプの通信コンテンツを提供するために広く展開されている。これらのシステムは、１つまたは複数の他の通信デバイス（たとえば、基地局、アクセスポイントなど）との複数の通信デバイス（たとえば、ワイヤレス通信デバイス、アクセス端末など）の同時通信をサポートすることが可能な多元接続システムであり得る。
【０００３】
[0003]通信デバイスの使用は、過去数年にわたって劇的に増加した。通信デバイスはしばしば、たとえば、ローカルエリアネットワーク（ＬＡＮ）またはインターネットなどのネットワークへのアクセスを行う。他の通信デバイス（たとえば、アクセス端末、ラップトップコンピュータ、スマートフォン、メディアプレーヤ、ゲームデバイスなど）は、ネットワークアクセスを行う通信デバイスとワイヤレス通信し得る。いくつかの通信デバイスは、電気電子技術者協会（ＩＥＥＥ）８０２．１１（たとえば、ワイヤレスフィデリティまたは「Ｗｉ−Ｆｉ（登録商標）」）規格など、いくつかの業界規格に準拠する。通信デバイスユーザは、たとえば、しばしば、そのような通信デバイスを使用してワイヤレスネットワークに接続する。
【０００４】
[0004]通信デバイスの使用が増加しているので、通信デバイス容量、信頼性および効率の向上が求められている。通信デバイス容量、信頼性および／または効率を改善するシステムおよび方法が有益であり得る。
【発明の概要】
【０００５】
[0005]電子デバイスによってチャネル変動メトリックを決定するための方法について説明される。本方法は、第１のパケットを受信することを含む。本方法はまた、第２のパケットを受信することを含む。本方法はさらに、第１のパケットに対応する第１のチャネル推定値および第２のパケットに対応する第２のチャネル推定値に基づいて平均２乗誤差値を近似するチャネル変動メトリックを決定することを含む。本方法はさらに、チャネル変動メトリックに基づいてオペレーションを実行することを含む。
【０００６】
[0006]チャネル変動メトリックは、利得変動および位相変動に不感(insensitive)であり得る。オペレーションを実行することは、開ループモード、シングルユーザ多入力多出力（ＳＵ−ＭＩＭＯ：single-user multiple input and multiple output）モード、およびマルチユーザ多入力多出力（ＭＵ−ＭＩＭＯ：multi-user multiple input and multiple output）モードのうちの少なくとも２つの間で切り替わることを含み得る。
【０００７】
[0007]オペレーションを実行することは、フィードバックを要求することを含み得る。フィードバックを要求することは、チャネル変動メトリックがしきい値よりも小さいときに起こり得る。オペレーションを実行することは、フィードバックを要求することなしにマルチユーザ多入力多出力（ＭＵ−ＭＩＭＯ）パケットを送ることを含み得る。オペレーションを実行することは、マルチユーザ多入力多出力（ＭＵ−ＭＩＭＯ）およびシングルユーザ多入力多出力（ＳＵ−ＭＩＭＯ）のうちの少なくとも１つについてのフィードバック要求間の最大時間を決定することを含み得る。
【０００８】
[0008]チャネル変動メトリックを決定することは、第１のパケットおよび第２のパケットに対応するチャネル測定値の絶対値を決定することと、アンテナごとの平均振幅を決定することと、アンテナごとの平均振幅に基づいて正規化値を決定することと、正規化値を減算することとを含み得る。チャネル変動メトリックを決定することは、トーンのサブセットに基づき得る。
【０００９】
[0009]チャネル変動メトリックを決定するための通信デバイスについても説明される。通信デバイスは、第１のパケットを受信し、第２のパケットを受信する受信機回路を含む。通信デバイスはまた、受信機回路に結合されたチャネル変動メトリック計算回路を含む。チャネル変動メトリック計算回路は、第１のパケットに対応する第１のチャネル推定値および第２のパケットに対応する第２のチャネル推定値に基づいて平均２乗誤差値を近似するチャネル変動メトリックを決定する。通信デバイスはさらに、チャネル変動メトリック計算回路に結合されたオペレーション回路を含む。オペレーション回路は、チャネル変動メトリックに基づいてオペレーションを実行する。
【００１０】
[0010]チャネル変動メトリックを決定するためのコンピュータプログラム製品についても説明される。コンピュータプログラム製品は、命令をもつ非一時的有形コンピュータ可読媒体を含む。命令は、第１のパケットを受信することを通信デバイスに行わせるためのコードを含む。命令はまた、第２のパケットを受信することを通信デバイスに行わせるためのコードを含む。命令はさらに、第１のパケットに対応する第１のチャネル推定値および第２のパケットに対応する第２のチャネル推定値に基づいて平均２乗誤差値を近似するチャネル変動メトリックを決定することを通信デバイスに行わせるためのコードを含む。命令はさらに、チャネル変動メトリックに基づいてオペレーションを実行することを通信デバイスに行わせるためのコードを含む。
【００１１】
[0011]チャネル変動メトリックを決定するための装置についても説明される。本装置は、第１のパケットを受信するための手段を含む。本装置はまた、第２のパケットを受信するための手段を含む。本装置はさらに、第１のパケットに対応する第１のチャネル推定値および第２のパケットに対応する第２のチャネル推定値に基づいて平均２乗誤差値を近似するチャネル変動メトリックを決定するための手段を含む。本装置はさらに、チャネル変動メトリックに基づいてオペレーションを実行するための手段を含む。
【図面の簡単な説明】
【００１２】
【図１】チャネル変動メトリックを決定するためのワイヤレス通信システムの一構成を示すブロック図。
【図２】チャネル変動メトリックを決定するための方法の一構成を示す流れ図。
【図３】チャネル変動メトリックを決定するための方法のより具体的な構成を示す流れ図。
【図４】ワイヤレス通信システムにおいてチャネル変動メトリックを決定するために使用されるパケットを送信および受信する一構成を示すパケット図。
【図５】チャネル変動メトリックを決定するためのワイヤレス通信システムの一構成を示すコールフロー図。
【図６】チャネル変動メトリックを決定するための方法の別のより具体的な構成を示す流れ図。
【図７】本明細書で開示されるシステムおよび方法による、２０メガヘルツ（ＭＨｚ）信号、４０ＭＨｚ信号および８０ＭＨｚ信号のためのサブキャリアトーンの一例を示す図。
【図８】チャネル変動メトリックを決定するためのシステムおよび方法が実装され得る、基地局およびワイヤレス通信デバイスの一構成を示すブロック図。
【図９】多入力多出力（ＭＩＭＯ）システムにおいて使用され得る通信デバイスのブロック図。
【図１０】基地局内に含まれ得るいくつかの構成要素を示す図。
【図１１】ワイヤレス通信デバイス内に含まれ得るいくつかの構成要素を示す図。
【発明を実施するための形態】
【００１３】
[0023]次に、図を参照しながら様々な構成について説明され、ここで、同様の参照番号は機能的に同様の要素を示し得る。本明細書で概して説明され、図に示されるシステムおよび方法は、多種多様な異なる構成で構成および設計され得る。したがって、図に表されるいくつかの構成についての以下のより詳細な説明は、請求される範囲を限定するものではなく、システムおよび方法を代表するものにすぎない。
【００１４】
[0024]図１は、チャネル変動メトリックを決定するためのワイヤレス通信システム１００の一構成を示すブロック図である。ワイヤレス通信システム１００は、基地局１０２と、１つまたは複数のワイヤレス通信デバイス１０４とを含み得る。基地局１０２はチャネル変動メトリックを決定し得る。チャネル変動メトリックは、モード間で切り替わることまたは追加のフィードバック情報を要求することなどのような、オペレーションを実行するために基地局１０２によって使用され得る。
【００１５】
[0025]基地局１０２の例としては、セルラー電話ノード、アクセスポイント、ワイヤレスゲートウェイおよびワイヤレスルータがある。基地局１０２は、ＩＥＥＥ８０２．１１ａ、８０２．１１ｂ、８０２．１１ｇ、８０２．１１ｎおよび／または８０２．１１ａｃ（たとえば、ワイヤレスフィデリティまたは「Ｗｉ−Ｆｉ」）規格など、いくつかの業界規格に従って動作し得る。基地局１０２が準拠し得る規格の他の例としては、ＩＥＥＥ８０２．１６（たとえば、ワールドワイドインターオペラビリティフォーマイクロウェーブアクセス（worldwide interoperability for microwave access）または「ＷｉＭＡＸ（登録商標）」）、第３世代パートナーシッププロジェクト（３ＧＰＰ）、３ＧＰＰロングタームエボリューション（ＬＴＥ）などがある（たとえば、基地局１０２は、ノードＢ、発展型ノードＢ（ｅＮＢ）などと呼ばれることがある）。本明細書で開示されるシステムおよび方法のいくつかは１つまたは複数の規格に関して説明され得るが、これは、それらのシステムおよび方法が多くのシステムおよび／または規格に適用可能であり得るので、本開示の範囲を限定すべきではない。
【００１６】
[0026]ワイヤレス通信デバイス１０４の例は、アクセス端末、クライアントデバイス、クライアント局などを含み得、他の通信デバイス（たとえば、基地局１０２およびワイヤレス通信デバイス１０４）とワイヤレス通信し得る。いくつかのワイヤレス通信デバイス１０４は、局（ＳＴＡ）、モバイルデバイス、移動局、加入者局、ユーザ機器（ＵＥ）、リモート局、アクセス端末、モバイル端末、端末、ユーザ端末、加入者ユニットなどと呼ばれることがある。ワイヤレス通信デバイス１０４のさらなる例としては、ラップトップまたはデスクトップコンピュータ、セルラーフォン、スマートフォン、ワイヤレスモデム、電子リーダー、タブレットデバイス、ゲームシステムなどがある。これらの通信ワイヤレスデバイス１０４のうちのいくつかは、上記で説明されたように１つまたは複数の業界規格に従って動作し得る。
【００１７】
[0027]したがって、「通信デバイス」という一般的な用語（たとえば、基地局１０２およびワイヤレス通信デバイス１０４）は、業界規格に応じて異なる名称で記述される通信デバイス（たとえば、アクセス端末、ＵＥ、リモート端末、アクセスポイント、基地局、ノードＢ、発展型ノードＢ（ｅＮＢ）など）を含み得る。いくつかの通信デバイスは、通信ネットワークへのアクセスを行うことが可能であり得る。通信ネットワークの例としては、限定はしないが、電話ネットワーク（たとえば、公衆交換電話網（ＰＳＴＮ）などの「ランドライン」ネットワークまたはセルラーフォンネットワーク）、インターネット、ローカルエリアネットワーク（ＬＡＮ）、ワイドエリアネットワーク（ＷＡＮ）、メトロポリタンエリアネットワーク（ＭＡＮ）などがある。たとえば、ワイヤレス通信システム１００（たとえば、ネットワーク）は、８０２．１１ａｃをサポートするネットワークであり得る。
【００１８】
[0028]８０２．１１ａｃは、ＩＥＥＥ８０２．１１グループによって規格化されている８０２．１１の新しくてより高速なバージョンである。いくつかの事例における８０２．１１ａｃは、ＶＨＴ（超高スループット（very high throughput））と呼ばれることもある。８０２．１１ａｃは、通信デバイスが、５ＧＨｚ帯域上でワイヤレスローカルエリアネットワークを介して高スループットを使用することを可能にする。高スループットを達成するための１つの方法は、追加の信号帯域幅を採用することによるものである。たとえば、８０２．１１ａｃの下で、通信デバイスは、８０メガヘルツ（ＭＨｚ）および／または１６０ＭＨｚを使用して伝送を送信および受信し得る。８０２．１１ａｃはまた、追加の多入力多出力（ＭＩＭＯ）空間ストリームを可能にし得る。たとえば、８０２．１１ａｃを採用する基地局１０２は、１つまたは複数のワイヤレス通信デバイス１０４と通信するために８つの空間ストリームを同時に使用し得る。
【００１９】
[0029]８０２．１１ａｃを使用する基地局１０２は、様々なモードの下で動作し得る。そのようなモードは、開ループモードと、シングルユーザＭＩＭＯ（ＳＵ−ＭＩＭＯ）と、マルチユーザＭＩＭＯ（ＭＵ−ＭＩＭＯ）とを含む。開ループモードでは、基地局１０２はワイヤレス通信デバイス１０４からフィードバックを受信しない。ワイヤレス通信システム１００中の各ワイヤレス通信デバイス１０４は、基地局からの受信情報の１つまたは複数のストリームをネゴシエートしなければならない。基地局１０２がＭＩＭＯを採用しているとき、開ループモードは様々な送信ストリーム間の干渉を生じ得る。この理由は、基地局１０２がワイヤレス通信デバイス１０４のチャネル状態についての知識を有しないからであり得る。
【００２０】
[0030]ＳＵ−ＭＩＭＯでは、基地局１０２は単一のワイヤレス通信デバイス１０４とのＭＩＭＯを使用する。ＭＵ−ＭＩＭＯでは、基地局１０２は、１つまたは複数のワイヤレス通信デバイス１０４とＭＩＭＯを同時に使用し得る。
【００２１】
[0031]ＳＵ−ＭＩＭＯモードまたはＭＵ−ＭＩＭＯモードにあるとき、基地局１０２は、１つまたは複数のワイヤレス通信デバイス１０４と通信するためにビームフォーミングを採用し得る。アンテナアレイ信号処理とも呼ばれるビームフォーミングは、基地局１０２が信号を所望の方向に送信することを可能にする。さらに、ビームフォーミングはワイヤレス通信システム１００中の干渉を低減する。たとえば、所望のワイヤレス通信デバイスのロケーションを知っている基地局１０２は、所望のワイヤレス通信デバイスのみに情報を送信し、ワイヤレス通信システム１００中の他の場所に位置する他のワイヤレス通信デバイスには情報を送信しないためにビームフォーミングを採用し得る。したがって、基地局１０２は、あらゆるワイヤレス通信デバイスに無関係な情報を送信するのではなく、所望のワイヤレス通信デバイスのみに情報を送信することによって、ワイヤレス通信システム１００チャネルを妨害することを回避し得る。
【００２２】
[0032]チャネル測定値は、チャネルが概して２つの状態を呈することを示す。低速ドップラー状態では、同じフィードバックが数十ミリ秒（ｍｓ）の間利用され得る。高速ドップラー状態は、ワイヤレス通信デバイス１０４（たとえば、クライアント）の移動によって、または近くの移動中の人々もしくはオブジェクトによって引き起こされ得る。本明細書で説明されるチャネル変動メトリック（たとえば、チャネルドップラーメトリック）は、１つまたは複数の適用例において利用され得る。一例では、チャネル変動メトリックは、新しいフィードバックが要求される必要があるかどうかを検出するために使用され得る。いくつかの構成では、新しいフィードバックは、チャネル変動メトリックがしきい値よりも小さい場合に要求され得る。チャネル変動メトリックは、たとえば、アップリンク肯定応答（ＡＣＫ）に基づいて推定され得る。別の例では、チャネル変動メトリックは、マルチユーザビームフォーミングとシングルユーザビームフォーミングの両方についてのフィードバック要求間の最大時間を決定するために使用され得る。ワイヤレス通信デバイス１０４（たとえば、クライアント）の移動がない場合、これらの最大時間は、マルチユーザビームフォーミングについて約２０ｍｓであり、シングルユーザビームフォーミングについて約２００ｍｓであり得る。さらなる詳細については以下のように与えられる。
【００２３】
[0033]ワイヤレス通信デバイス１０４は、チャネル報告などのフィードバックを介してそれのロケーションおよび現在の状態を基地局１０２に示し得る。基地局１０２は、チャネル報告フィードバックを使用してチャネル測定値を決定し得る。チャネル報告は、基地局１０２が、ワイヤレス通信デバイス１０４が低速ドップラー状態にあるのかまたは高速ドップラー状態にあるのかを決定することを可能にし得る。ロケーションワイヤレス通信デバイス１０４は、低速ドップラー状態ではほぼ不変であり得る。この状態では、基地局１０２は、数十ミリ秒（ｍｓ）の間同じチャネル報告を使用し得る。たとえば、同じフィードバックが数十ｍｓの間使用され得る。
【００２４】
[0034]高速ドップラー状態にある場合、ワイヤレス通信デバイス１０４は、ロケーション間を迅速に移動していることがある。たとえば、ワイヤレス通信デバイス１０４からのチャネル報告は、数十ｍｓ内のロケーションおよびチャネル状態に関して古くなり得る。高速ドップラー状態は、ワイヤレス通信デバイス１０４の移動によって、または近くの移動中の人々もしくはオブジェクトによって引き起こされ得る。
【００２５】
[0035]ワイヤレス通信デバイス１０４が低速ドップラー状態にある間、基地局はＭＵ−ＭＩＭＯを効果的に使用し得る。しかしながら、ワイヤレス通信デバイス１０４が高速ドップラー状態にある場合、基地局はＳＵ−ＭＩＭＯをより効果的に使用し得る。ＭＵ−ＭＩＭＯ送信は、チャネル変動に敏感であり得、ワイヤレス通信デバイス１０４が高速ドップラー状態に入ったときに劣化し得るので、ワイヤレス通信デバイス１０４が高速ドップラー状態にあるときは、ＭＵ−ＭＩＭＯはＳＵ−ＭＩＭＯほど有効でないことがある。言い換えれば、高速ドップラー状態にあるワイヤレス通信デバイス１０４は、ワイヤレス通信デバイス１０４がロケーション間を移動するときに大きいチャネル変動を報告し得る。
【００２６】
[0036]高速ドップラー状態にある間、基地局１０２は、ワイヤレス通信デバイス１０４に追加のフィードバックを要求し得る。たとえば、基地局１０２は、ワイヤレス通信デバイス１０４からのフィードバックがより頻繁に送られることを要求し得る。言い換えれば、基地局１０２は、ワイヤレス通信デバイス１０４によってサブミットされるチャネル報告間で許容される最大時間を低減し得る。たとえば、基地局１０２は、基地局１０２がＭＵ−ＭＩＭＯを使用しているときは少なくとも２０ｍｓごとにワイヤレス通信デバイス１０４にフィードバックを要求し、基地局１０２がＳＵ−ＭＩＭＯを使用しているときは少なくとも２００ｍｓごとにワイヤレス通信デバイス１０４にフィードバックを要求し得る。これらの最大時間（たとえば、ＭＵ−ＭＩＭＯについて２０ｍｓおよびＳＵ−ＭＩＭＯについて２００ｍｓ）は、たとえば、ワイヤレス通信デバイスがほとんどまたはまったく移動を有しないときのために設定され得る。フィードバック頻度を決定することはまた、フィードバック中の情報があるしきい値を下回るかまたはそれを上回るかどうかに基づき得る。たとえば、平均２乗誤差（ＭＳＥ：mean square error）値がしきい値を下回る場合、基地局１０２は新しいフィードバックを要求し得る。たとえば、ＭＳＥはアップリンク肯定応答（ＡＣＫ）パケットから推定され得る。
【００２７】
[0037]８０２．１１ａｃにおけるＳＵ−ＭＩＭＯモードおよびＭＵ−ＭＩＭＯモードのためのビームフォーミングの導入とともに、基地局１０２は、ワイヤレス通信デバイス１０４がＳＵ−ＭＩＭＯビームフォーミングにより良く適するか、ＭＵ−ＭＩＭＯビームフォーミングにより良く適するか、またはそのいずれにも適さないかを決定するために、チャネル変動の量を知ることが必要であり得る。また、基地局１０２は、レート適応をサポートするために、チャネルにどのくらいの変動があるかを知ることが有益であり得る。
【００２８】
[0038]知られている手法の下で、基地局１０２は、チャネル変動を暗示するために使用され得るパケットエラーに基づいてレート適応を決定する。ただし、パケットエラーはいくつかの異なる原因によって引き起こされ得、したがって、それはチャネル変動の極めて間接的な測度であり得る。さらに、パケットエラーに基づくレート適応は、（本明細書で開示されるシステムおよび方法に従ってチャネル変動メトリックを決定することと比較して）相対的に遅いプロシージャであり得る。
【００２９】
[0039]したがって、本明細書で開示されるシステムおよび方法では、チャネル変動メトリックを決定することについて説明する。たとえば、チャネル変動メトリックは、（たとえば、８０２．１１ａｃビームフォーミングリンクにおける）チャネル変動を推定するためのチャネルドップラーメトリックであり得る。チャネル変動メトリックはまた、低速ドップラー状態および高速ドップラー状態など、ワイヤレス通信デバイス１０４のチャネル状態に対応する情報を含み得る。
【００３０】
[0040]本明細書で開示されるシステムおよび方法は、振幅利得および／またはタイミング変化（たとえば、位相変動）に不感であり得るチャネル変動の推定のための手法を提供する。たとえば、基地局１０２は、同じワイヤレス通信デバイス１０４から２つの異なる時間的インスタンスにおいて受信された任意の２つのチャネルに基づいてチャネル変動メトリックを正確に決定し得る。いくつかの構成では、チャネル変動メトリック処理の大部分が基地局１０２のＰＨＹ（物理レイヤ）において実行され得、それにより、最後のチャネル変動計算が、同じワイヤレス通信デバイス１０４から２つの異なる時間的インスタンスにおいて受信された任意の２つのチャネルに基づいてソフトウェア（たとえば、メディアアクセス制御レイヤ（ＭＡＣ））において行われることが可能になる。
【００３１】
[0041]ワイヤレス通信デバイス１０４は、受信機１２０と、チャネル推定ブロック／モジュール１２２と、送信機１２４とを含み得る。ワイヤレス通信デバイス１０４中に含まれる要素１２０、１２２、１２４のうちの１つまたは複数はハードウェア（たとえば、回路）、ソフトウェアまたは両方の組合せで実装され得ることに留意されたい。さらに、「ブロック／モジュール」という用語は、特定の要素がハードウェア、ソフトウェアまたは両方の組合せで実装され得ることを示し得る。また、要素１２０、１２２および１２４のうちのいくつかが単一のブロックとして示されることがあるが、いくつかの構成では複数のブロック／モジュールが採用され得ることに留意されたい。たとえば、ＭＩＭＯ通信中に複数のアンテナが使用され得る。
【００３２】
[0042]ワイヤレス通信デバイス１０４はまた、アンテナ１１６を含み得る。簡単のために１つのアンテナ１１６が示されている。さらに、ワイヤレス通信デバイス１０４は、信号をそれぞれ受信および送信する複数のアンテナを含み得る。たとえば、ＭＩＭＯ通信中に複数のアンテナ１１６が使用され得る。
【００３３】
[0043]ワイヤレス通信デバイス１０４上の受信機１２０は、基地局１０２から送られた通信を受信し得る。たとえば、基地局１０２は、ワイヤレス通信デバイス１０４に、データ、要求、クエリ、ポール、パイロット信号、トレーニング信号などを送り得る。受信機１２０は、チャネル推定ブロック／モジュール１２２に結合され得、チャネル推定ブロック／モジュール１２２に、要求、クエリ、ポール、パイロット信号、トレーニング信号などを転送し得る。
【００３４】
[0044]ワイヤレス通信デバイス１０４はまた、基地局１０２からフィードバック要求を受信し得る。フィードバック要求は、ワイヤレス通信デバイス１０４が基地局１０２にチャネル報告を送る頻度（たとえば、チャネル報告間の最大時間）を増加または減少させるようにワイヤレス通信デバイス１０４に要求し得る。たとえば、ワイヤレス通信デバイス１０４が高速ドップラー状態にあるとき、基地局１０２は、チャネル報告の頻度を少なくとも２０ｍｓごとに１回に増加させるようにワイヤレス通信デバイス１０４に要求し得る。
【００３５】
[0045]チャネル推定ブロック／モジュール１２２は、チャネル推定値および測定値を決定するためにチャネル推定を実行し得る。たとえば、チャネル推定ブロック／モジュール１２２は、ワイヤレス通信デバイス１０４において通信チャネル（たとえば、位相、周波数、振幅など）を推定し得る。チャネル推定ブロック／モジュール１２２は、推定値および測定値をフィードバックとしてチャネル報告中に含め得る。
【００３６】
[0046]ＭＩＭＯでは、ワイヤレス通信デバイス１０４は、受信されたデータの各ストリームに対応するチャネル推定を決定し得る。たとえば、ワイヤレス通信デバイス１０４が基地局１０２上の４つのアンテナからデータを受信している場合、ワイヤレス通信デバイス１０４は、各アンテナ（たとえば、チャネルまたはストリーム）について推定値を決定し得る。各チャネル推定値内で、ワイヤレス通信デバイス１０４は、１つまたは複数のトーンについて推定を決定し得る。
【００３７】
[0047]送信機１２４は、チャネル推定ブロック／モジュール１２２に結合され得、基地局１０２にフィードバックを送信し得る。たとえば、送信機１２４は、そのフィードバックを送信し得、データパケットとして基地局１０２にチャネル推定ブロック／モジュール１２２によって生成され得る。
【００３８】
[0048]基地局１０２は、受信機１０６と、チャネル変動メトリック計算ブロック／モジュール１０８と、オぺレーションブロック／モジュール１１０と、送信機１１２とを含み得る。基地局１０２中に含まれる要素１０６、１０８、１１０および１１２のうちの１つまたは複数は、ハードウェア、ソフトウェアまたは両方の組合せで実装され得ることに留意されたい。さらに、「ブロック／モジュール」という用語は、特定の要素がハードウェア、ソフトウェアまたは両方の組合せで実装され得ることを示し得る。また、要素１０６、１０８、１１０および１１２のうちのいくつかが単一のブロックとして示されることがあるが、いくつかの構成では複数のブロック／モジュールが採用され得ることに留意されたい。
【００３９】
[0049]基地局１０２はまた、アンテナ１１４を含み得る。簡単のために１つのアンテナ１１４が個別に示されている。さらに、基地局１０２は、信号をそれぞれ受信および送信する複数のアンテナ１１４を含み得る。
【００４０】
[0050]受信機１０６は、たとえば、データパケットとして、１つまたは複数のワイヤレス通信デバイス１０４からフィードバックを受信し得る。フィードバックは、ワイヤレス通信デバイス１０４によって取得されたチャネル推定を含むチャネル報告であり得る。受信機１０６はチャネル変動メトリック計算ブロック／モジュール１０８に結合され得る。したがって、受信機１０６はチャネル変動メトリック計算ブロック／モジュール１０８にフィードバックを与え得る。
【００４１】
[0051]チャネル変動メトリック計算ブロック／モジュール１０８は、チャネル報告中のフィードバックに基づいてチャネル変動メトリックを決定し得る。たとえば、チャネル変動メトリック計算ブロック／モジュール１０８は、ワイヤレス通信デバイス１０４から受信されたフィードバック中のチャネル測定値に基づいてチャネル変動メトリックを決定し得る。たとえば、チャネル変動メトリック計算ブロック／モジュール１０８は、ワイヤレス通信デバイス１０４から受信された様々なパケットからのチャネル測定値を比較し得る。いくつかの事例では、チャネル変動メトリックは、フィードバックに基づいて平均２乗誤差（ＭＳＥ）値を近似し得る。
【００４２】
[0052]さらに、チャネル変動メトリックは、振幅利得および位相変動（たとえば、タイミング変化）に不感であり得る。言い換えれば、チャネル変動メトリックは、比較されているパケットの位相または振幅にかかわらず決定され得る。たとえば、絶対値を使用することは、同じワイヤレス通信デバイス１０４からの任意の２つのチャネル推定値間のタイミングおよび位相の差に対して本方法を不感にさせ得る。チャネル変動メトリックを決定することについては、図３に関して以下でさらに詳細に説明される。
【００４３】
[0053]チャネル変動メトリック計算ブロック／モジュール１０８は、オペレーションブロック／モジュール１１０に結合され得る。チャネル変動メトリックが決定されると、チャネル変動メトリック計算ブロック／モジュール１０８はチャネル変動メトリックをオペレーションブロック／モジュール１１０に与え得る。オペレーションブロック／モジュール１１０はチャネル変動メトリックに基づいてオペレーションを実行し得る。
【００４４】
[0054] オペレーションブロック／モジュール１１０は、オプションのモード選択ブロック／モジュール１５０および／またはオプションのフィードバックリクエスタブロック／モジュール１５２を含み得る。オペレーションブロック／モジュール１１０は、モード間で切り替わること、またはフィードバック要求を送ることなど、チャネル変動メトリックに基づいてオペレーションを実行し得る。たとえば、モード選択ブロック／モジュール１５０は、チャネル変動メトリックに基づいて、開ループモード、ＳＵ−ＭＩＭＯモードまたはＭＵ−ＭＩＭＯモードなどの動作モード間で基地局１０２を切り替え得る。たとえば、モード選択ブロック／モジュール１５０は、ワイヤレス通信デバイス１０４についてのチャネル変動メトリックがしきい値を下回る場合、ＭＵ−ＭＩＭＯモードからＳＵ−ＭＩＭＯモードに切り替わり得る。
【００４５】
[0055]オペレーションブロック／モジュール１１０はチャネル変動メトリックに基づいてフィードバック（たとえば、チャネル報告）を要求し得る。たとえば、チャネル変動メトリックが、しきい値を上回るかまたはそれを下回るＭＳＥ値を示す場合、フィードバックリクエスタブロック／モジュール１５２は、ＭＳＥ値がしきい値を上回るかまたはそれを下回る場合のフィードバック（たとえば、より多いまたはより少ないフィードバック）を要求し得る。
【００４６】
[0056]オペレーションブロック／モジュール１１０は送信機１１２に結合され得る。オペレーションブロック／モジュール１１０は、ワイヤレス通信デバイス１０４に送られるべきフィードバック要求を、たとえば、送信機１１２に与え得る。送信機１１２はまた、データパケットを送出し得る。たとえば、オペレーションブロック／モジュール１１０がＭＵ−ＭＩＭＯモードに切り替わっている場合、基地局１０２はワイヤレス通信デバイス１０４にＭＵ−ＭＩＭＯパケットを送信し得る。
【００４７】
[0057]図２は、チャネル変動メトリックを決定するための方法２００の一構成を示す流れ図である。方法２００は基地局１０２によって実行され得る。たとえば、基地局１０２は、図１に関して説明されたワイヤレス通信システム１００の一部であり得る。たとえば、基地局１０２は１つまたは複数のワイヤレス通信デバイス１０４と通信し得る。
【００４８】
[0058]基地局１０２は、２０２において、第１のパケットを受信し得る。第１のパケットは受信機１０６において受信され得る。第１のパケットは、ワイヤレス通信デバイス１０４から受信されたフィードバックを含み得る。たとえば、第１のパケットは、ワイヤレス通信デバイス１０４からのフィードバック報告（たとえば、圧縮されたフィードバック報告）を含み得る。第１のパケットは、ワイヤレス通信デバイス１０４からフィードバックされたチャネルデータの第１のセットを表し得る。
【００４９】
[0059]基地局は、第１のパケットに基づいていくつかの値を取得し得る。たとえば、１６個のサブキャリアおよび４つの基地局１０２アンテナ１１４が使用される場合、基地局１０２は、第１のパケットに基づいて６４個の値を取得し得る。これらの値は、チャネル変動メトリックを決定する（たとえば、導出する）ために基地局１０２によって使用され得る。たとえば、基地局１０２は、チャネルＭＳＥ（たとえば、チャネルドップラーメトリック）を推定するためにサブキャリアの一部（たとえば、サブセット）を利用し得る（たとえば、サブキャリアの数は８０２．１１パケットでは５２〜２４２であり得る）。本明細書で使用される「サブキャリアトーン」または「サブキャリア番号」という用語は、パイロットおよび直流（ＤＣ）トーンを除くフィードバック報告内の番号または値を指し得る。サブキャリアトーンについてのさらなる説明は図７に関して与えられる。
【００５０】
[0060]基地局１０２は、２０４において、第２のパケットを受信し得る。第２のパケットは受信機１０６において受信され得る。第２のパケットは、ワイヤレス通信デバイス１０４から受信され得、第１のパケットと同様のデータまたはそれとは異なるデータを含み得る。基地局１０２は、第２のパケットに基づいていくつかの値を取得し得る。たとえば、基地局１０２は、第１のパケットから取得するのと同じ数の値を第２のパケットから取得し得る。
【００５１】
[0061]これらの値は、ワイヤレス通信デバイス１０４上のチャネル推定および測定値が変化している場合、第１のパケットと第２のパケットとの間で異なり得る。たとえば、ワイヤレス通信デバイス１０４が低速ドップラー状態にある（たとえば、ワイヤレス通信デバイス１０４がロケーションを変化させていない）場合、チャネル推定および測定値は、第１のパケットおよび第２のパケットについて同様である（たとえば、相対的にほとんど変化していない）ことがある。しかしながら、ワイヤレス通信デバイス１０４が高速ドップラー状態にある（たとえば、ワイヤレス通信デバイスがロケーション間を移動している）場合、第１のパケットと第２のパケットとの間のチャネル推定および測定値のデータはもっと異なり得る。
【００５２】
[0062]基地局１０２は、２０６において、第１のパケットおよび第２のパケットに基づいてチャネル変動メトリックを決定し得る。チャネル変動メトリックはチャネル変動メトリック計算ブロック／モジュール１１０によって決定され得る。基地局１０２は、第１のパケット中のデータを第２のパケット中のデータと比較し得る。たとえば、第１のパケットおよび第２のパケットはそれぞれ、各アンテナ１１４についてのサブキャリアトーンのサブセットに対応する値を含み得る。この例では、第１のパケットからの各値が、第２のパケットからの対応する値と比較され得る。基地局１０２は、たとえば、第２のパケット中のデータと比較された第１のパケット中のデータに基づいてチャネル変動メトリックを決定し得る。いくつかの構成では、基地局１０２は、２０６において、第１のパケットに対応する第１のチャネル推定値および第２のパケットに対応する第２のチャネル推定値に基づいて平均２乗誤差（ＭＳＥ）値を近似するチャネル変動メトリックを決定し得る。チャネル変動メトリックを決定することについては、図３に関して、以下でより詳細に説明される。
【００５３】
[0063]基地局１０２は、２０８において、チャネル変動メトリックに基づいてオペレーションを実行し得る。オペレーションはオペレーションブロック／モジュール１１０によって実行され得る。たとえば、オペレーションは、モードを切り替えることまたはフィードバックを要求することであり得る。たとえば、オペレーションブロック／モジュール１１０は、ワイヤレス通信デバイス１０４のチャネル変動メトリックに基づいてワイヤレス通信デバイス１０４のためにＭＵ−ＭＩＭＯモードからＳＵ−ＭＩＭＯモードに切り替わり得る。
【００５４】
[0064]図３は、チャネル変動メトリックを決定するための方法３００のより具体的な構成を示す流れ図である。方法３００は基地局１０２によって実行され得る。たとえば、基地局１０２は、図１に関して説明されたワイヤレス通信システム１００の一部であり得る。たとえば、基地局１０２はワイヤレス通信デバイス１０４と通信し得る。
【００５５】
[0065]基地局１０２は、３０２において、第１のパケットを受信し得る。基地局１０２は、３０４において、第２のパケットを受信し得る。基地局１０２は、図２に関して上記で説明されたように第１のパケットおよび第２のパケットを受信し得る。たとえば、第１のパケットおよび第２のパケットはそれぞれ、基地局１０２から送信されワイヤレス通信デバイス１０４において受信されるいくつかのサブキャリアトーンに対応する値を含み得る。一例では、第１のパケットに対応する（たとえば、それによって示される）第１のチャネル推定値がＨ0kと示され得、第２のパケットに対応する（たとえば、それによって示される）第２のチャネル推定値がＨ1kと示され得る。たとえば、方法３００は、チャネルＨ0kとチャネルＨ1kとの間でチャネルＭＳＥ（たとえば、チャネルドップラーメトリック）を推定するために適用され得る。
【００５６】
[0066]基地局１０２は、３０６において、第１のパケットおよび第２のパケットに対応するチャネル測定値の絶対値を決定し得る。たとえば、ワイヤレス通信デバイス１０４が４つのアンテナ上で１６個のサブキャリアトーンのためのチャネル測定値を推定する場合、ワイヤレス通信デバイス１０４は、６４個のチャネル測定値を含み得る。この場合、結果は各サブキャリアトーンについて４×１ベクトルになり得、ここで、列はサブキャリアトーンを表し、各行はアンテナに対応する。したがって、８つのアンテナがあった場合、結果は各サブキャリアトーンについて８×１ベクトルになるであろう。チャネル測定値の絶対値は、３０６において、たとえば、チャネル変動メトリック計算ブロック／モジュール１０８によって決定され得る。
【００５７】
[0067]時間の第１のインスタンスにおいて、ワイヤレス通信デバイス１０４は、第１のパケット中に含まれる測定されたチャネル測定値を基地局１０２に送信し得る。時間の第２のインスタンスにおいて、ワイヤレス通信デバイス１０４は、第２のパケット中に含まれる測定されたチャネル測定値を基地局１０２に送信し得る。基地局１０２は、３０６において、各値の絶対値を取ることによって、第１のパケットおよび第２のパケットに対応するチャネル測定値の絶対値を決定し得る。たとえば、６４個のチャネル測定値の場合、基地局１０２は６４個の絶対チャネル測定値を取得し得る。第１のパケットと第２のパケットの両方についてのチャネル測定値の絶対値を使用することによって、第１のパケットおよび第２のパケットにおける値を比較するとき、タイミングおよび位相不整合（たとえば、遅延）が無視され得る。言い換えれば、絶対値を採用することにより、第１のパケットおよび第２のパケットが基地局１０２において位相差を伴って受信された場合でも、第１のパケットと第２のパケットとの間でチャネル変動メトリックが決定されることが可能になる。
【００５８】
[0068]一例では、３０６において第１のパケットおよび第２のパケットに対応するチャネル測定値の絶対値を決定することは、Ａ0k＝｜Ｈ0k｜およびＡ1k＝｜Ｈ1k｜として示され得、ただし、Ａ0kは、第１のチャネル測定値（たとえば、推定値）の要素に関する絶対値であり、Ａ1kは、第２のチャネル測定値（たとえば、推定値）の要素に関する絶対値である。各トーンについて４×１ベクトルがある場合、Ａ0kおよびＡ1kは、要素に関する絶対値を含み、結果として、トーンごとに２つの４×１実ベクトルを生じる。上記で説明されたように、このように絶対値を使用することにより、２つのチャネル推定値間のタイミングおよび位相の差に対してアルゴリズムを不感にさせ得る。
【００５９】
[0069]基地局１０２は、３０８において、アンテナごとの平均振幅を決定し得る。たとえば、基地局１０２（たとえば、アクセスポイント）のアンテナ１１４の数が、チャネル行列中の行の数に対応し得る。アンテナごとの平均振幅は、３０８において、たとえば、チャネル変動メトリック計算ブロック／モジュール１０８によって決定され得る。３０８では、平均振幅がそれについて決定される１つまたは複数のアンテナがあり得る。たとえば、４つのアンテナと、フィードバックとして報告される１６個のサブキャリアトーンとの例では、基地局１０２は、１６個のサブキャリアトーンにわたってアンテナごとの平均振幅（たとえば、１６個のトーンにわたって平均化された４つの値）を計算し得る。このようにして、４つのアンテナの例では、４つの平均振幅が決定され得る。いくつかの構成では、各平均振幅は、３０８において、チャネル測定値の各々の絶対値に基づいて決定され得る。
【００６０】
[0070]基地局１０２は、３１０において、アンテナごとの平均振幅に基づいて正規化値を決定し得る。正規化値は、３１０において、たとえば、チャネル変動メトリック計算ブロック／モジュール１０８によって決定され得る。正規化は、チャネル推定値および／またはチャネル測定値間に生じ得る振幅または利得（たとえば、無線周波数利得）の差にかかわらず、チャネル測定値が第１のパケットと第２のパケットとの間で比較されることを可能にする。言い換えれば、正規化により、同じワイヤレス通信デバイス１０４からの２つのチャネル推定値間の任意の無線周波数（ＲＦ）利得差に対して方法３００を不感にさせ得る。
【００６１】
[0071]基地局１０２は、３１０において、各アンテナからの値を、その同じアンテナについて計算された平均振幅で除算することによって正規化値を決定し得る。たとえば、基地局１０２は、Ａ0kおよびＡ1kの各行をそれの平均振幅で除算し得る。たとえば、４つのアンテナおよび１６個のサブキャリアトーンの場合、４つのアンテナの各々は、１６個のサブキャリアトーンと、１つの平均振幅値とを有する。第１のアンテナについての１６個のサブキャリアトーンは、第１のアンテナについて決定された平均振幅値で除算される。このプロセスが各アンテナ（たとえば、第２のアンテナ、第３のアンテナおよび第４のアンテナなど）について繰り返され得る。さらに、このプロセスは第１のパケットと第２のパケットの両方について繰り返され得る。したがって、第１のパケットに対応する６４個の正規化チャネル測定値、および第２のパケットに対応する６４個の正規化チャネル測定値があり得る。
【００６２】
[0072]基地局１０２は、３１２において、第１のパケットと第２のパケットとの間で正規化値を減算し得る。正規化値は、３１２において、たとえば、チャネル変動メトリック計算ブロック／モジュール１０８によって減算され得る。３１２において正規化値を減算することは、すべての行およびトーン（たとえば、合計で６４個の値）にわたる誤差を生じ得る。たとえば、基地局１０２は、第２のパケットに対応する正規化値から第１のパケットに対応する正規化値を減算し得る。したがって、誤差チャネル測定値のセットが生成され、チャネル測定誤差値の数は、第１のパケットおよび第２のパケットにおけるチャネル測定値の数に対応する。たとえば、第１のパケットおよび第２のパケットがそれぞれ６４個のチャネル測定値を含む場合、誤差チャネル測定値のセットは、同様に６４個のチャネル測定誤差値を含む。代替的に、基地局１０２は、第１のパケットに対応する正規化値から第２のパケットに対応する正規化値を減算し得る。
【００６３】
[0073]いくつかの構成では、チャネル測定誤差値のセットの絶対値が計算される。チャネル測定誤差値の絶対値を計算することによって、第２のパケットから第１のパケットのチャネル測定値を減算することは、第１のパケットから第２のパケットのチャネル測定値を減算することと同じ結果を生じる。このように、チャネル測定誤差値は絶対誤差値であり得る。
【００６４】
[0074]基地局１０２は、３１４において、絶対誤差値の平均を生成し得る。基地局１０２は、各チャネル測定誤差値を合計し、その合計を、合計されたチャネル測定誤差値の数で除算して、絶対誤差の平均を生成し得る。言い換えれば、絶対誤差の平均は、第１のパケットと第２のパケットとの間のすべての行およびトーンにわたる絶対誤差の平均であり得る。
【００６５】
[0075]絶対誤差の平均は、３１４において、たとえば、チャネル変動メトリック計算ブロック／モジュール１０８によって生成され得る。たとえば、６４個の誤差値がある場合、６４個の誤差値の各々は互いに加算され、６４で除算されて、平均絶対誤差（たとえば、絶対誤差の平均）が取得され得る。平均絶対誤差は、第１のパケットと第２のパケットとの間の２乗平均平方根（ＲＭＳ：root mean square）値の精密な近似として働き得る。いくつかの構成では、チャネル変動メトリックは平均２乗誤差（ＭＳＥ）値を近似し得る。
【００６６】
[0076]基地局１０２は、３１６において、絶対誤差の平均に基づいてチャネル変動メトリックを生成し得る。チャネル変動メトリックは、３１６において、たとえば、チャネル変動メトリック計算ブロック／モジュール１０８によって生成され得る。基地局１０２は、３１６において、絶対誤差の平均をデシベル（ｄＢ）値に変換することによってチャネル変動メトリックを生成し得る。たとえば、基地局１０２は絶対誤差の平均の対数値を計算し得る。たとえば、基地局１０２は、チャネル変動メトリックを絶対誤差の平均の２０ｌｏｇ10として計算し得る。チャネル変動メトリックのためにｄＢ単位を採用することによって、チャネル変動メトリックはしきい値と容易に比較され得る。さらに、チャネル変動メトリックはまた、バイアスおよび他のファクタのためにｄＢ形式で１回調整され得る。
【００６７】
[0077]いくつかの構成では、チャネル変動メトリックは、３１６において、ルックアップテーブル（ＬＵＴ：look-up table）を使用することによって生成され得る。たとえば、絶対誤差の平均がＬＵＴ中に入力され得、ＬＵＴはチャネル変動メトリックを出力し得る。
【００６８】
[0078]いくつかの構成では、基地局１０２は、各チャネル推定値について物理レイヤ（ＰＨＹ）上でステップ３０６、３０８および３１０を完了し得る。基地局１０２は、次いで、受信されたアップリンクチャネル推定値（たとえば、第１のパケットおよび第２のパケット）とともに記憶されるべき正規化チャネル測定値（たとえば、６４個の正規化振幅値）をメディアアクセス制御レイヤ（ＭＡＣ）に与え得る。次いで、ＭＡＣ上でステップ３１２、３１４および３１６が実行され得る。たとえば、ＭＡＣは、３１２において、２つの異なるチャネル推定値から正規化振幅値（たとえば、６４個の正規化振幅値）を減算し、３１４において、減算された出力の絶対値（たとえば、６４個の絶対値）の平均を生成（たとえば、計算）し得る。ＭＡＣはさらに、結果をｄＢに変換し、バイアス（たとえば、４ｄＢバイアス）を減算し得、これは、いくつかの構成ではＬＵＴを通して行われ得る。
【００６９】
[0079]基地局１０２は、３１８において、チャネル変動メトリックに基づいてオペレーションを実行し得る。オペレーションはオペレーションブロック／モジュール１１０によって実行され得る。オペレーションは、たとえば、モードを切り替えることまたはフィードバックを要求することであり得る。たとえば、モード選択ブロック／モジュール１５０は、チャネル変動メトリックがしきい値を上回るかまたはそれを下回る場合など、チャネル変動メトリックに基づいてＭＵ−ＭＩＭＯモードからＳＵ−ＭＩＭＯモードに切り替わり得る。一例として、ＭＵ−ＭＩＭＯモードからＳＵ−ＭＩＭＯモードに切り替わることは、たとえば、チャネルドップラーＳＮＲ（信号対雑音比）が推定アップリンクＳＮＲよりも１０ｄＢ低い場合に起こり得る。チャネルドップラーＳＮＲは、ｄＢで推定され、−１で乗算された、チャネルドップラーメトリック平均２乗誤差であり得る。たとえば、推定アップリンクＳＮＲは、パケットの前の雑音電力レベルを測定することおよび受信されたアップリンクパケット中の信号レベルを測定することによるなど、従来の技法を通して導出され得る。
【００７０】
[0080]別の例では、ＭＵ−ＭＩＭＯモードからＳＵ−ＭＩＭＯモードに切り替わることは、チャネルドップラーＳＮＲが、たとえば、１５ｄＢの固定しきい値よりも小さい場合に起こり得る。測定されるＳＮＲは量子化雑音および他の障害によって上限が定められるので、チャネルドップラーＳＮＲがしきい値（たとえば、３０ｄＢ）を超えるとき、ＭＵ−ＭＩＭＯモードが採用され得る。
【００７１】
[0081]図４は、ワイヤレス通信システム４００においてチャネル変動メトリックを決定するために使用されるパケットを送信および受信する一構成を示すパケット図である。ワイヤレス通信システム４００は、アクセスポイント４０２と、第１のクライアント４０４ａと、第２のクライアント４０４ｂとを含み得る。図４に示されたパケットはすべて、図の左側に示されたデバイス（たとえば、アクセスポイント４０２、第１のクライアント４０４ａおよび第２のクライアント４０４ｂ）から送られ得る。特に、アクセスポイント４０２に対応するパケットは、ダウンリンク上で第１のクライアント４０４ａにおよび／または第２のクライアント４０４ｂに送られ得る。さらに、クライアント４０４ａ〜ｂに対応するパケットは、アップリンク上でアクセスポイント４０２に送られ得る。
【００７２】
[0082]アクセスポイント４０２は、図１に関して説明された基地局１０２の一例であり得る。同様に、第１のクライアント４０４ａおよび第２のクライアント４０４ｂはそれぞれ、図１に関して説明された１つまたは複数のワイヤレス通信デバイス１０４の一例であり得る。
【００７３】
[0083]アクセスポイント４０２は、第１のクライアント４０４ａと第２のクライアント４０４ｂとに１つまたは複数のパケットを送り得る。たとえば、アクセスポイント４０２は、第１のクライアント４０４ａと第２のクライアント４０４ｂとにヌルデータパケット告知（announcement）４３０とヌルデータパケット４３２とを送り得る。ヌルデータパケット告知４３０および／またはヌルデータパケット４３２は、第１のクライアント４０４ａおよび第２のクライアント４０４ｂが存在するかどうかを決定するためにワイヤレス通信システム４００を調査し得る。
【００７４】
[0084]第１のクライアント４０４ａおよび第２のクライアント４０４ｂは、ヌルデータパケット告知４３０および／またはヌルデータパケット４３２に応答し得る。たとえば、第１のクライアント４０４ａは、アクセスポイント４０２に第１のチャネルブロック４３４ａを送り得る。第１のチャネルブロック４３４ａは、第１のクライアント４０４ａによって取られたチャネル測定値および／または推定を含むチャネル報告など、フィードバックを含み得る。
【００７５】
[0085]いくつかの手法では、アクセスポイント４０２は、フィードバック（たとえば、チャネル報告）を要求するためにブロック要求ポール４３６を送り得る。たとえば、アクセスポイント４０２は、第２のクライアント４０４ｂにフィードバックを要求するために第２のクライアント４０４ｂにブロック要求ポール４３６を送り得る。ブロック要求ポール４３６に応答して、第２のクライアント４０４ｂは、アクセスポイント４０２に第２のチャネルブロック４３４ｂを送り得る。第２のチャネルブロック４３４ｂはフィードバック（たとえば、チャネル報告）を含み得る。いくつかの構成では、チャネル報告は、圧縮されたチャネルフィードバックを含み得る。
【００７６】
[0086]アクセスポイント４０２は、第１のクライアント４０４ａと第２のクライアント４０４ｂとにＭＵ−ＭＩＭＯパケット４３８を送り得る。ＭＵ−ＭＩＭＯパケット４３８は、アクセスポイント４０２が、ＭＵ−ＭＩＭＯモードで動作していることおよび／またはＭＵ−ＭＩＭＯフォーマットで送信されるデータを含み得ることを示し得る。第１のクライアント４０４ａは第１のブロック肯定応答（ＡＣＫ）４４０ａで応答し得る。いくつかの構成では、ＭＵ−ＭＩＭＯパケット４３８は、フィードバックを要求することなしに第１のクライアント４０４ａと第２のクライアント４０４ｂとに送られ得る。
【００７７】
[0087]いくつかの構成では、（たとえば、アクセスポイント４０２が第２のクライアント４０４ｂからブロックＡＣＫを受信しない場合）、アクセスポイント４０２は、第２のクライアント４０４ｂにブロックＡＣＫ要求４４２を送り得る。第２のクライアント４０４ｂは応答して、アクセスポイント４０２に第２のブロックＡＣＫ４４０ｂを送り得る。
【００７８】
[0088]アクセスポイント４０２は、チャネル変動メトリックを決定するためにチャネルブロック４３４およびブロックＡＣＫ４４０の中のデータを使用し得る。たとえば、アクセスポイント４０２は、チャネル変動メトリックを決定するために第１のチャネルブロック４３４ａ中のプリアンブルデータと第１のブロックＡＣＫ４４０ａ中の対応するプリアンブルデータとを使用し得、ここで、プリアンブルデータはフィードバックを含む。たとえば、第１のチャネルブロック４３４ａは第１のパケットからのフィードバックに対応し得、第１のブロックＡＣＫ４４０ａは第２のパケットからのフィードバックに対応し得る。第１のパケットおよび第２のパケットの中のフィードバックに基づいて、アクセスポイント４０２はＭＳＥ値（たとえば、チャネル変動メトリック）を計算し得る。このようにして、アクセスポイント４０２はチャネル変動メトリックを決定し得る。ＭＵ−ＭＩＭＯ送信機会（ＴＸＯＰ：transmit opportunity）において、たとえば、アクセスポイント４０２は、各ワイヤレス通信デバイス４０４ａ、４０４ｂ（たとえば、クライアント）から、チャネル変動メトリック（たとえば、ＭＳＥ）を推定するために使用され得る少なくとも２つのアップリンクフレーム（たとえば、プリアンブルデータ）を受信する。ＭＳＥ値がしきい値を上回る場合、アクセスポイント４０２は、追加のフィードバックを要求することなしに追加のＭＵ−ＭＩＭＯパケット４３８を送り得る。
【００７９】
[0089]アクセスポイント４０２は、チャネル変動メトリックに基づいてオペレーションを実行し得る。たとえば、第１のクライアント４０４ａが高速ドップラー状態にある（たとえば、ロケーション間を迅速に移動している）と決定された場合、アクセスポイント４０２は、フィードバックがより頻繁にアクセスポイント４０２に送られるように要求し得る。別の例として、第１のクライアント４０４ａおよび第２のクライアント４０４ｂが両方とも低速ドップラー状態にあると決定された場合、アクセスポイント４０２は、第１のクライアント４０４ａと第２のクライアント４０４ｂの両方のためにＭＵ−ＭＩＭＯ状態に切り替わることを決定し得る。
【００８０】
[0090]図５は、チャネル変動メトリックを決定するためのワイヤレス通信システム５００の一構成を示すコールフロー図である。ワイヤレス通信システム５００は、基地局５０２と、第１のワイヤレス通信デバイス５０４ａと、第２のワイヤレス通信デバイス５０４ｂとを含み得る。基地局５０２は、図１に関して説明された基地局１０２の一例であり得る。同様に、第１のワイヤレス通信デバイス５０４ａおよび第２のワイヤレス通信デバイス５０４ｂはそれぞれ、図１に関して説明された１つまたは複数のワイヤレス通信デバイス１０４の一例であり得る。
【００８１】
[0091]基地局５０２は、第１のワイヤレス通信デバイス５０４ａと第２のワイヤレス通信デバイス５０４ｂとに１つまたは複数のパケットを送り得る。たとえば、基地局５０２は、５１０ａにおいて、第１のワイヤレス通信デバイス５０４ａにヌルデータパケット告知４３０を送り得る。基地局５０２は、５１０ｂにおいて、第２のワイヤレス通信デバイス５０４ｂにもヌルデータパケット告知４３０を送り得る。基地局５０２は、５１２ａにおいて、第１のワイヤレス通信デバイス５０４ａにヌルデータパケット４３２を送り得る。基地局５０２は、５１２ａにおいて、第２のワイヤレス通信デバイス５０４ｂにヌルデータパケット４３２を送り得る。ヌルデータパケット告知４３０および／またはヌルデータパケット４３２は、第１のワイヤレス通信デバイス５０４ａおよび／または第２のワイヤレス通信デバイス５０４ｂが存在するかどうかを決定するためにワイヤレス通信システム５００を調査するために使用され得る。
【００８２】
[0092]第１のワイヤレス通信デバイス５０４ａは、ヌルデータパケット告知４３０および／またはヌルデータパケット４３２に応答し得る。たとえば、第１のワイヤレス通信デバイス５０４ａは、５１４ａにおいて、基地局５０２に第１のチャネルブロック４３４ａを送り得る。第１のチャネルブロック５３４ａは、第１のワイヤレス通信デバイス５０４ａによって取られたチャネル測定値および／または推定を含むチャネル報告など、フィードバックを含み得る。
【００８３】
[0093]いくつかの構成では、基地局５０２は、５１６において、フィードバック（たとえば、チャネル報告）を要求するためにブロック要求ポール４３６を送り得る。たとえば、第２のワイヤレス通信デバイス４０４ｂが基地局５０２にフィードバックを送っていない場合、基地局５０２は、フィードバックを要求するために第２のワイヤレス通信デバイス５０４ｂにブロック要求ポール４３６を送り得る。ブロック要求ポール４３６に応答して、第２のワイヤレス通信デバイス５０４ｂは、５１４ｂにおいて、基地局５０２に第２のチャネルブロック４３４ｂを送り得る。第２のチャネルブロック４３４ｂは、第２のワイヤレス通信デバイス５０４ｂによるチャネル測定値および／または推定を含むチャネル報告を含み得る。
【００８４】
[0094]基地局５０２は、５１８ａにおいて、第１のワイヤレス通信デバイス５０４ａにＭＵ−ＭＩＭＯパケット４３８を送り得る。基地局５０２は、５１８ｂにおいて、第２のワイヤレス通信デバイス５０４ｂにもＭＵ−ＭＩＭＯパケット４３８を送り得る。ＭＵ−ＭＩＭＯパケット４３８は、基地局５０２がＭＵ−ＭＩＭＯモードで動作していることを示し得る。第１のワイヤレス通信デバイス５０４ａは、５２０ａにおいて、応答して、基地局５０２に第１のブロック肯定応答（ＡＣＫ）４４０ａを送り得る。
【００８５】
[0095]基地局５０２が第２のワイヤレス通信デバイス５０４ｂからブロックＡＣＫを受信しない場合、基地局５０２は、５２２において、第２のワイヤレス通信デバイス５０４ｂにブロックＡＣＫ要求４４２を送り得る。第２のワイヤレス通信デバイス５０４ｂは、５２０ｂにおいて、応答して、基地局５０２に第２のブロックＡＣＫ４４０ｂを送り得る。
【００８６】
[0096]基地局５０２は、チャネル変動メトリックを決定するためにチャネルブロック４３４およびブロックＡＣＫ４４０の中のデータを使用し得る。たとえば、第２のチャネルブロック４３４ｂは第１のパケットに対応し得、第２のブロックＡＣＫ４４０ｂは第２のワイヤレス通信デバイス５０４ｂからの第２のパケットに対応し得る。基地局５０２は、第１のパケットおよび第２のパケットに基づいてＭＳＥ値（たとえば、チャネル変動メトリック）を近似し得る。
【００８７】
[0097]基地局５０２は、第１のパケットおよび第２のパケットに基づいてチャネル変動メトリックを決定し得る。基地局５０２は、次いで、チャネル変動メトリックに基づいてオペレーションを実行し得る。たとえば、第１のワイヤレス通信デバイス５０４ａが高速ドップラー状態にある（たとえば、ロケーション間を迅速に移動している）と決定され、第２のワイヤレス通信デバイス５０４ｂが低速ドップラー状態にあると決定された場合、基地局５０２は、第１のワイヤレス通信デバイス５０４ａのためにＳＵ−ＭＩＭＯから、および第２のワイヤレス通信デバイス５０４ｂのためにＭＵ−ＭＩＭＯに切り替わり得る。
【００８８】
[0098]図６は、チャネル変動メトリックを決定するための方法６００の別のより具体的な構成を示す流れ図である。方法６００は基地局１０２によって実行され得る。たとえば、基地局１０２は、図１に関して説明されたワイヤレス通信システム１００の一部であり得る。たとえば、基地局１０２はワイヤレス通信デバイス１０４と通信し得る。
【００８９】
[0099]基地局１０２は、６０２において、第１のパケットを受信し得る。基地局１０２は、６０４において、第２のパケットを受信し得る。基地局１０２は、図２に関して上記で説明されたように第１のパケットおよび第２のパケットを受信し得る。
【００９０】
[00100]基地局１０２は、６０６において、第１のパケットおよび第２のパケットに基づいてチャネル変動メトリックを決定し得る。チャネル変動メトリックはチャネル変動メトリック計算ブロック／モジュール１１０によって決定され得る。基地局１０２は、６０６において、図２および図３に関して上記で説明されたように第１のパケットおよび第２のパケットに基づいてチャネル変動メトリックを決定し得る。
【００９１】
[00101]基地局１０２は、場合によっては、６０８において、チャネル変動メトリックに基づいてフィードバックを要求し得る。フィードバックは、たとえば、フィードバックリクエスタブロック／モジュール１５２によって要求され得る。フィードバックはワイヤレス通信デバイス１０４の状態に基づいて要求され得る。たとえば、ワイヤレス通信デバイス１０４が高速ドップラー状態にあると決定された場合、基地局１０２は、ワイヤレス通信デバイス１０４からのフィードバック（たとえば、チャネル報告）が高頻度に送られるように要求し得る。ワイヤレス通信デバイス１０４が低速ドップラー状態にあると決定された場合、基地局１０２は、ワイヤレス通信デバイス１０４からのフィードバックがより低頻度に送られるように要求し得る。
【００９２】
[00102]場合によっては、頻度は、ワイヤレス通信デバイスが基地局１０２にチャネル報告をその中で送らなければならない最大時間に対応し得る。最大時間は、基地局１０２がＭＵ−ＭＩＭＯモードにあるかまたはＳＵ−ＭＩＭＯモードにあるかに応じて異なり得る。たとえば、基地局１０２は、基地局１０２がＭＵ−ＭＩＭＯを使用しているときは少なくとも２０ｍｓごとにワイヤレス通信デバイス１０４にフィードバックを要求し、基地局１０２がＳＵ−ＭＩＭＯを使用しているときは少なくとも２００ｍｓごとにワイヤレス通信デバイス１０４にフィードバックを要求し得る。このようにして、基地局１０２は、６０８において、ＭＵ−ＭＩＭＯモードおよびＳＵ−ＭＩＭＯモードについてのフィードバック要求間の最大時間に基づいてフィードバックを要求し得る。
【００９３】
[00103]いくつかの構成では、基地局１０２は、チャネル変動メトリックがしきい値を上回るかまたはそれを下回るときにフィードバックを要求し得る。たとえば、ワイヤレス通信デバイス１０４のチャネル変動メトリックがしきい値を下回る場合、基地局１０２は、より定期的にフィードバックを送るようにワイヤレス通信デバイス１０４にフィードバック要求を送り得る。
【００９４】
[00104]基地局１０２は、場合によっては、６１０において、チャネル変動メトリックに基づいて、開ループモードとシングルユーザ多入力多出力（ＳＵ−ＭＩＭＯ）モードとマルチユーザ多入力多出力（ＭＵ−ＭＩＭＯ）モードとの間で切り替わり得る。基地局１０２上のモード選択ブロック／モジュール１５０がモード間の切替えを可能にし得る。チャネル変動メトリックは、ワイヤレス通信デバイス１０４がＳＵ−ＭＩＭＯおよび／またはＭＵ−ＭＩＭＯを使用して基地局１０２と通信し得るかどうかをその基地局に示し得る。ワイヤレス通信デバイス１０４がＳＵ−ＭＩＭＯおよび／またはＭＵ−ＭＩＭＯを使用して基地局１０２と通信することができない場合、基地局１０２は、ワイヤレス通信デバイス１０４と通信する前に開ループに切り替わる必要があり得る。いくつかの構成では、基地局１０２は、モード間の切替えを示すインジケータをワイヤレス通信デバイス１０４に送り得る。
【００９５】
[00105]いくつかの構成では、基地局１０２は、第１のワイヤレス通信デバイス５０４ａからの第１のチャネル変動メトリックと、第２のチャネル変動メトリック第２のワイヤレス通信デバイス５０４ｂとを決定し得る。第１のチャネル変動メトリックに基づいて、基地局１０２は、第１のワイヤレス通信デバイス５０４ａと通信するときにＭＵ−ＭＩＭＯモードに切り替わり得る。第２のチャネル変動メトリックに基づいて、基地局１０２は、第２のワイヤレス通信デバイス５０４ｂと通信するときにＳＵ−ＭＩＭＯモードに切り替わり得る。
【００９６】
[00106]図７は、本明細書で開示されるシステムおよび方法による、２０メガヘルツ（ＭＨｚ）信号７４４、４０ＭＨｚ信号７４６および８０ＭＨｚ信号７４８のためのサブキャリアトーンの一例を示す図である。信号の各々は、サブキャリア番号によって表されるサブキャリアトーンを含む。サブキャリア番号は、パイロットおよびＤＣトーンを除くチャネル報告（たとえば、圧縮されたフィードバック報告）内の番号を指し得る。たとえば、２０ＭＨｚ信号７４４は、３の増分で、３〜４８にわたるサブキャリア番号７１８を含む。４０ＭＨｚ信号７４６は、６の増分で、９〜９９にわたるサブキャリア番号７２６を含む。８０ＭＨｚ信号７４８は、１２の増分で、２７〜２０７にわたるサブキャリア番号７２８を含む。例として、２０ＭＨｚ信号７４４、４０ＭＨｚ信号７４６および８０ＭＨｚ信号７４８中に１６個のサブキャリアトーンのサブセットが示されている。異なる数のサブキャリアトーンが採用され得ることを諒解されたい。たとえば、サブキャリアトーンの数は、３２個、６４個、１２８個、２３４個のサブキャリアトーンなど、１６個を超え得る。たとえば、（８０ＭＨｚ帯域のために）２３４個のトーンをもつチェーンごとの振幅および位相変化を伴う２つの異なる１×４アップリンクチャネル推定値間のＭＳＥ推定値は、（５％〜９５％の累積分布関数値について）±１ｄＢ未満の誤差を有することが示され得る。これは、推定ＭＳＥが−４ｄＢ補正バイアスを有する場合である（一方、約−１０ｄＢの大きいＭＳＥでは、バイアスは−５ｄＢにより近接し得る）。１６個のトーンでは、ＭＳＥ推定値は±２ｄＢ以内に正確になり得る。ただし、１６個未満のサブキャリアトーンが使用される場合、チャネル変動メトリックの精度は減少され得る。また、２０ＭＨｚ信号７４４、４０ＭＨｚ信号７４６および８０ＭＨｚ信号７４８が示されているが、１６０ＭＨｚ信号または他の信号帯域幅も採用され得ることを諒解されたい。
【００９７】
[00107]さらに、図７に示された例ではサブキャリアトーンが均等にマッピング（たとえば、分布）されているが、帯域幅全体にわたるサブキャリアトーン（たとえば、１６個のトーン）の何らかの拡散がある限り、厳格なマッピングは重要でないことに留意されたい。いくつかの構成では、送信および受信フィルタ処理のために、より悪い信号対干渉雑音比（ＳＩＮＲ）を有し得るいくつかの帯域エッジトーンがドロップされ得る。したがって、いくつかの構成では、サブキャリアトームは、帯域幅の中央のより近くにグループ化されるようにマッピングされ得る。
【００９８】
[00108]各サブキャリアトーンはＨk＝ｓkＶkによって表され得、ただし、Ｈはチャネル推定値であり、ｓkは特異値（singular value）であり、Ｖkはトーンｋのベクトルである。ｋはサブキャリア番号である（たとえば、２０ＭＨｚでは｛３，６，．．．，４８｝、４０ＭＨｚでは｛９，１５，２１，．．．，９９｝および８０ＭＨｚでは｛２７，３９，５１，．．．，２０７｝）。ベクトルＶは、一度にワイヤレス通信デバイス１０４にＭＩＭＯデータを送信する基地局１０２上のアンテナの数に対応し得る。たとえば、ワイヤレス通信デバイス１０４が基地局１０２上の４つのアンテナ１１４からのデータストリームを受信する場合、ベクトルＶは、各サブキャリアトーンｋについて４×１ベクトルであり得る。さらに、１６個のトーンからのチャネル推定値が使用され得る。１６個のサブキャリアトーンを仮定すると、１６個の４×１ベクトルがあり、それにより、６４個の総ベクトル値（たとえば、チャネル測定値）が生じる。
【００９９】
[00109]図８は、チャネル変動メトリックを決定するためのシステムおよび方法が実装され得る、基地局８０２およびワイヤレス通信デバイス８０４の一構成を示すブロック図である。基地局８０２は、繰り返しビットブロック／モジュール８５６、チャネルエンコーダ８５８、インターリーバ８６０、コンスタレーションマッパー８６２、パイロット挿入ブロック／モジュール８６４、スケーリングブロック／モジュール８７０、サイクリックシフトブロック／モジュール８７２、空間マッピングブロック／モジュール８７４、逆離散フーリエ変換（ＩＤＦＴ）ブロック／モジュール８７６、ガードインターバルブロック／モジュール８７８、送信（ＴＸ）無線周波数（ＲＦ）ブロック／モジュール、１つまたは複数のアンテナ８１４ａ〜ｎ、擬似ランダム雑音生成器８８４、パイロット生成器８８６および／または受信機８０６を含み得る。
【０１００】
[00110]基地局８０２中に含まれる要素８５６、８５８、８６０、８６２、８６４、８７０、８７２、８７４、８７６、８７８、８８０、８８４、８８６、８０６のうちの１つまたは複数がハードウェア、ソフトウェアまたは両方の組合せで実装され得ることに留意されたい。さらに、「ブロック／モジュール」という用語は、特定の要素がハードウェア、ソフトウェアまたは両方の組合せで実装され得ることを示し得る。また、要素８５６、８５８、８６０、８６２、８６４、８７０、８７２、８７４、８７６、８７８、８８０、８８４、８８６のうちのいくつかは単一のブロックとして示され得るが、示される要素８５６、８５８、８６０、８６２、８６４、８７０、８７２、８７４、８７６、８７８、８８０、８８４、８８６のうちの１つまたは複数は、いくつかの構成では複数の並列ブロック／モジュールを備え得ることに留意されたい。たとえば、複数のチャネルエンコーダ８５８、複数のインターリーバ８６０、複数のコンスタレーションマッパー８６２、複数のパイロット挿入ブロック／モジュール８６４、複数のスケーリングブロック／モジュール８７０、複数のサイクリックシフトブロック／モジュール８７２、複数の空間マッピングブロック／モジュール８７４、複数のＩＤＦＴブロック／モジュール８７６、複数のガードインターバルブロック／モジュール８７８および／または複数のＴＸ  ＲＦブロック／モジュール８８０は、いくつかの構成では複数の経路を形成し得る。
【０１０１】
[00111]たとえば、別々のストリーム８１９（たとえば、空間時間ストリーム、空間ストリームなど）が生成され、および／または別々の経路を使用して送信され得る。いくつかの実装形態では、これらの経路は別個のハードウェアを用いて実装されるが、他の実装形態では、経路のハードウェアが２つ以上のストリーム８１９のために再利用されるか、または経路ロジックが、１つまたは複数のストリーム８１９のために実行するソフトウェアで実装される。より具体的には、基地局８０２中に示された要素の各々は、単一のブロック／モジュールとして、または複数のブロック／モジュールとして実装され得る。
【０１０２】
[00112]データ８５４は、オーバーヘッド（たとえば、制御）データおよび／またはペイロードデータを備え得る。たとえば、ペイロードデータは、音声、ビデオ、オーディオおよび／または他のデータを含み得る。オーバーヘッドデータは、データレート、変調およびコーディング方式（ＭＣＳ）、チャネル帯域幅などを指定する情報などの制御情報を含み得る。
【０１０３】
[00113]いくつかの構成または事例では、データ８５４は繰り返しビットブロック／モジュール８５６に与えられ得、繰り返しビットブロック／モジュール８５６は、データ８５４からのビットを繰り返し得る（たとえば、ビットのコピーを生成し得る）。（オプションで繰り返される）データ８５４はチャネルエンコーダ８５８に与えられ得る。チャネルエンコーダ８５８は、前方誤り訂正（ＦＥＣ）、暗号化、パケット化、および／またはワイヤレス送信とともに使用するための知られている他の符号化のために、データ８５４を符号化し得る。たとえば、チャネルエンコーダ８５８はバイナリ畳み込みコーディング（ＢＣＣ）を使用し得る。
【０１０４】
[00114]符号化されたデータはインターリーバ８６０に与えられ得る。インターリーバ８６０は、一連のビットにわたってより一様にチャネル誤差を拡散するために、ビット順序を変更するか、またはビットをインターリーブし得る。インターリーブされたビットはコンスタレーションマッパー８６２に与えられ得る。いくつかの構成では、１６０ＭＨｚ信号のための別個のインターリーバ８６０が設けられ得る。
【０１０５】
[00115]コンスタレーションマッパー８６２は、インターリーバ８６０によって与えられたデータをコンスタレーションポイント（たとえば、複素数）にマッピングする。たとえば、コンスタレーションマッパー８６２は、２位相シフトキーイング（ＢＰＳＫ）、直交振幅変調（ＱＡＭ）などの変調方式を使用し得る。直交振幅変調（ＱＡＭ）が使用される場合、たとえば、コンスタレーションマッパー８６２は、ストリーム８１９当たり、サブキャリア８２１当たり、シンボル期間当たり２ビットを与え得る。さらに、コンスタレーションマッパー８６２は、ストリーム８１９ごと、データサブキャリア８２１ごと、シンボル期間ごとに１６ＱＡＭコンスタレーション信号を出力し得る。６４ＱＡＭなどの他の変調が使用され得、それにより、ストリーム８１９当たり、データサブキャリア８２１当たり、シンボル期間当たり６ビットの消費を生じ得る。他の変形形態も可能である。コンスタレーションマッパー８６２は、いくつかのサブキャリア（たとえば、ＯＦＤＭトーン）８２１を割り振り、サブキャリア８２１にコンスタレーションポイント（たとえば、シンボル）をマッピングし得ることに留意されたい。
【０１０６】
[00116]パイロットエンコーダ８８６はパイロットシーケンスを生成し得る。パイロットシーケンスはパイロットシンボルのグループであり得る。一構成では、たとえば、パイロットシーケンス中の値は、特定の位相、振幅および／または周波数をもつ信号によって表され得る。たとえば、「１」は、特定の位相および／または振幅をもつパイロットシンボルを示し得るが、「−１」は、異なる（たとえば、逆（opposite）または逆（inverse））位相および／または振幅をもつパイロットシンボルを示し得る。
【０１０７】
[00117]基地局８０２は、いくつかの構成では擬似ランダム雑音生成器８８４を含み得る。擬似ランダム雑音生成器８８４は、パイロットシーケンスをスクランブルするために使用される擬似ランダム雑音シーケンスまたは信号（たとえば、値）を生成し得る。たとえば、連続するＯＦＤＭシンボルのためのパイロットシーケンスは擬似ランダム雑音シーケンスからの連続する数によって乗算され、それによって、ＯＦＤＭシンボルごとにパイロットシーケンスがスクランブルされ得る。これは、式 ｐn+zＰnk に従って行われ得、ただし、ｐnは擬似ランダム雑音シーケンスであり、Ｐnk はパイロットシーケンス（またはパイロットマッピング行列）であり、ｋはＯＦＤＭトーン（たとえば、サブキャリア８２１）インデックスである。
【０１０８】
[00118]パイロット挿入ブロック／モジュール８６４は、パイロットトーンをパイロットトーンサブキャリア８２１中に挿入する。たとえば、パイロットシーケンスは、特定のインデックスにあるサブキャリア８２１にマッピングされ得る。たとえば、（スクランブルされた）パイロットシーケンスからのパイロットシンボルは、データサブキャリア８２１および／または他のサブキャリア８２１が点在しているパイロットサブキャリア８２１にマッピングされ得る。
【０１０９】
[00119]合成されたデータおよびパイロット信号８６８はスケーリングブロック／モジュール８７０に与えられ得る。スケーリングブロック／モジュール８７０はパイロットシンボルおよび／またはデータシンボルをスケーリングし得る。いくつかの構成では、スケーリングブロック／モジュール８７０は、データフィールドの場合と同様にパイロットシンボルおよび／またはデータシンボルをスケーリングする。
【０１１０】
[00120]スケーリングされた信号（たとえば、スケーリングブロック／モジュール８７０からの出力信号）はサイクリックシフトブロック／モジュール８７２に与えられ得る。サイクリックシフトブロック／モジュール８７２は、サイクリックシフトを、サイクリックシフトダイバーシティ（ＣＳＤ）のための１つまたは複数の空間ストリーム８１９または空間時間ストリーム８１９に挿入し得る。
【０１１１】
[00121]ＩＤＦＴブロック／モジュール８７６は、空間マッピングブロック／モジュール８７４によって与えられる信号に対して逆離散フーリエ変換を実行し得る。たとえば、逆離散フーリエ変換（ＩＤＦＴ）ブロック／モジュール８７６は、データ８５４の周波数信号と、挿入されたパイロットトーンとを、ストリーム８１９上の信号を表す時間領域信号および／またはシンボル期間の間の時間領域サンプルに変換する。一構成では、たとえば、ＩＤＦＴブロック／モジュール８７６は２５６ポイント逆高速フーリエ変換（ＩＦＦＴ）を実行し得る。いくつかの構成では、ＩＤＦＴブロック／モジュール８７６はさらに、１つまたは複数の２０ＭＨｚサブバンドに位相回転を適用し得る。
【０１１２】
[00122]ＩＤＦＴブロック／モジュール８７６から出力された信号はガードインターバルブロック／モジュール８７８に与えられ得る。ガードインターバルブロック／モジュール８７８は、ＩＤＦＴブロック／モジュール８７６から出力された信号にガードインターバルを挿入（たとえば、プリペンド）し得る。たとえば、ガードインターバルブロック／モジュール８７８は、フレームプリアンブル中の他のフィールドのためのガードインターバルと同じ長さである長いガードインターバルを挿入し得る。いくつかの構成では、ガードインターバルブロック／モジュール８７８はさらに、信号に対してウィンドウ処理を実行し得る。
【０１１３】
[00123]ガードインターバルブロック／モジュール８７８の出力は送信（ＴＸ）無線周波数（ＲＦ）ブロック／モジュール８８０に与えられ得る。ＴＸ  ＲＦブロック／モジュール８８０は、ガードインターバルブロック／モジュール８７８の出力（たとえば、複素ベースバンド波形）をアップコンバートし、得られた信号を１つまたは複数のアンテナ８１４ａ〜ｎを使用して送信し得る。たとえば、１つまたは複数のＴＸ  ＲＦブロック／モジュール８８０は、無線周波数（ＲＦ）信号を１つまたは複数のアンテナ８１４ａ〜ｎに出力し、それによって、チャネルエンコーダ８５８に入力されたデータ８５４を、１つまたは複数のワイヤレス通信デバイス８０４による受信のために適切に構成されたワイヤレス媒体を介して送信し得る。
【０１１４】
[00124]基地局８０２は、１つまたは複数のワイヤレス通信デバイス８０４への送信のために使用されるべきチャネル帯域幅を決定し得ることに留意されたい。この決定は、ワイヤレス通信デバイス８０４互換性、（通信チャネルを使用すべき）ワイヤレス通信デバイス８０４の数、チャネル品質（たとえば、チャネル雑音）および／または受信インジケータなど、１つまたは複数のファクタに基づき得る。一構成では、基地局８０２は、信号送信のための帯域幅が２０ＭＨｚであるのか、４０ＭＨｚであるのか、８０ＭＨｚであるのか、または１６０ＭＨｚであるのかを決定し得る。
【０１１５】
[00125]基地局８０２中に含まれる要素８５６、８５８、８６０、８６２、８６４、８７０、８７２、８７４、８７６、８７８、８８０、８８４、８８６のうちの１つまたは複数は、帯域幅決定に基づいて動作し得る。たとえば、繰り返しビットブロック／モジュール８５６は、信号送信のための帯域幅に基づいてビットを繰り返す（または繰り返さない）ことがある。さらに、パイロット生成器８８６は、信号送信のための帯域幅に基づいていくつかのパイロットトーンを生成し得る。
【０１１６】
[00126]さらに、コンスタレーションマッパー８６２は、データ８５４をいくつかのＯＦＤＭトーンにマッピングし得、パイロット挿入ブロック／モジュール８６４は、信号送信のための帯域幅に基づいてパイロットトーンを挿入し得る。いくつかの構成、コンスタレーションマッパー８６２は、指定された帯域幅のために使用すべきトーンまたはサブキャリアの数を決定するためにルックアップテーブルを使用し得る。
【０１１７】
[00127]１つまたは複数のストリーム８１９は、（ある程度の可能性をもつ）アクセス端末またはワイヤレス通信デバイス８０４において弁別可能であり得る。たとえば、１つの空間次元にマッピングされるビットが１つのストリーム８１９として送信される。そのストリーム８１９は、他のアンテナ８１４から空間的に分離されたそれ自体のアンテナ８１４、複数の空間的に分離されたアンテナ上のそれ自体の直交重ね合わせ（orthogonal superposition）、それ自体の偏波（polarization）などの上で送信され得る。（たとえば、空間においてアンテナ８１４を分離すること、またはそれらの信号が受信機において識別されることを可能にし得る他の技法を伴う）ストリーム８１９分離のための多くの技法が知られており、使用され得る。
【０１１８】
[00128]図８に示された例では、同じまたは異なる数（たとえば、１つまたは複数）のアンテナ８１４ａ〜ｎを使用して送信される１つまたは複数のストリーム８１９がある。いくつかの事例では、１つまたは複数の他のストリーム８１９の非アクティブ化のために、ただ１つのストリーム８１９が利用可能であり得る。
【０１１９】
[00129]基地局８０２が複数の周波数サブキャリア８２１を使用する場合、コンスタレーションマッパー８６２がいくつかのビットを１つの周波数サブキャリア８２１にマッピングし、他のビットを別の周波数サブキャリア８２１にマッピングし得るように、周波数次元のための複数の値がある。他の周波数サブキャリア８２１は、データ８５４を搬送しない（または、常に搬送するとは限らない）ガードバンド、パイロットトーンサブキャリア８２１などとして予約され得る。たとえば、１つまたは複数のデータサブキャリア８２１および１つまたは複数のパイロットサブキャリア８２１があり得る。いくつかの事例または構成では、すべてのサブキャリア８２１が直ちに励起され得るとは限らないことに留意されたい。たとえば、いくつかのトーンは、フィルタ処理を可能にするために励起されないことがある。一構成では、アクセスポイント８０２は、複数のサブキャリア８２１の送信のために直交周波数分割多重化（ＯＦＤＭ）を利用し得る。たとえば、コンスタレーションマッパー８６２は、使用される多重化方式に従って、（符号化された）データ８５４を時間および／または周波数リソースにマッピングし得る。
【０１２０】
[00130]時間次元はシンボル期間を指す。異なるビットは、異なるシンボル期間に割り振られ得る。複数のストリーム８１９、複数のサブキャリア８２１および複数のシンボル期間がある場合、１つのシンボル期間の間の送信は「ＯＦＤＭ（直交周波数分割多重化）ＭＩＭＯ（多入力多出力）シンボル」と呼ばれることがある。単純なシンボル当たりのビット数（たとえば、使用されるコンスタレーションの数のｌｏｇ2）×ストリーム８１９の数×データサブキャリア８２１の数を乗算し、シンボル期間の長さによって除算されることで、符号化されたデータのための送信レートが決定され得る。
【０１２１】
[00131]１つまたは複数のワイヤレス通信デバイス８０４は、基地局８０２から信号を受信し、使用し得る。たとえば、ワイヤレス通信デバイス８０４は、所与の数のＯＦＤＭトーンまたはサブキャリア８２１を受信するために、受信された帯域幅インジケータを使用し得る。追加または代替として、ワイヤレス通信デバイス８０４は、基地局８０２によって生成されたパイロットシーケンスを使用して、チャネル、送信機障害および／または受信機障害を特徴づけ、その特徴づけを使用して、送信において符号化されたデータ８５４の受信を改善し得る。
【０１２２】
[00132]たとえば、ワイヤレス通信デバイス８０４は、１つまたは複数の受信機無線周波数（ＲＸ  ＲＦ）ブロック／モジュール８９０に給電する（基地局８０２アンテナ８１４ａ〜ｎの数および／またはストリーム８１９の数よりも多いか、少ないか、または等しくなり得る）１つまたは複数のアンテナ８１６ａ〜ｎを含み得る。１つまたは複数のＲＸ  ＲＦブロック／モジュール８９０は、アナログ信号を１つまたは複数のアナログデジタル変換器（ＡＤＣ）８９２に出力し得る。たとえば、受信機無線周波数ブロック８９０は信号を受信し、ダウンコンバートし得、その信号はアナログデジタル変換器８９２に与えられ得る。基地局８０２の場合と同様に、処理されるストリーム８１９の数は、アンテナ８１６ａ〜ｎの数に等しいこともまたは等しくないこともある。さらに、複数の受信機ストリームに達するために様々なビームステアリング、直交化などの技法が使用され得るので、各空間ストリーム８１９は１つのアンテナ８１４に限定される必要はない。
【０１２３】
[00133]１つまたは複数のアナログデジタル変換器（ＡＤＣ）８９２は、受信されたアナログ信号を１つまたは複数のデジタル信号に変換し得る。１つまたは複数のアナログデジタル変換器（ＡＤＣ）８９２の出力は、１つまたは複数の時間および／または周波数同期ブロック／モジュール８９４に与えられ得る。時間および／または周波数同期ブロック／モジュール８９４は、時間および／または周波数においてデジタル信号を（たとえば、ワイヤレス通信デバイス８０４クロックに）同期または整合させ（ることを試み）得る。
【０１２４】
[00134]時間および／または周波数同期ブロック／モジュール８９４の（同期された）出力は、１つまたは複数のデフォーマッタ８９６に与えられ得る。たとえば、デフォーマッタ８９６は、時間および／または周波数同期ブロック／モジュール８９４の出力を受信し、ガードインターバルなどを削除し、および／または離散フーリエ変換（ＤＦＴ）処理のためにデータを並列化し得る。
【０１２５】
[00135]１つまたは複数のデフォーマッタ８９６出力は、１つまたは複数の離散フーリエ変換（ＤＦＴ）ブロック／モジュール８９８に与えられ得る。離散フーリエ変換（ＤＦＴ）ブロック／モジュール８９８は、１つまたは複数の信号を時間領域から周波数領域に変換し得る。パイロットプロセッサ８１１は、基地局８０２によって送られる（たとえば、ストリーム８１９、周波数サブキャリア８２１および／またはシンボル期間のグループにわたる）１つまたは複数のパイロットトーンを決定するために、（たとえば、空間ストリーム８１９ごとに）周波数領域信号を使用し得る。
【０１２６】
[00136]パイロットプロセッサ８１１は、追加または代替として、パイロットシーケンスをデスクランブルし得る。パイロットプロセッサ８１１は、位相および／または周波数および／または振幅追跡のために、本明細書で説明される１つまたは複数のパイロットシーケンスを使用し得る。１つまたは複数のパイロットトーンは、空間時間周波数検出および／または復号ブロック／モジュール８１３に与えられ得、空間時間周波数検出および／または復号ブロック／モジュール８１３は、様々な次元にわたってデータを検出および／または復号し得る。空間時間周波数検出および／または復号ブロック／モジュール８１３は、受信データ８１５（たとえば、基地局８０２によって送信されたデータ８１５についてのアクセス端末のまたはワイヤレス通信デバイス８０４の推定）を出力し得る。
【０１２７】
[00137]いくつかの構成では、ワイヤレス通信デバイス８０４は、全情報シーケンスの一部として送られる送信シーケンスを知っている。ワイヤレス通信デバイス８０４は、これらの既知の送信シーケンスの助けをかりてチャネル推定を実行し得る。パイロットトーン追跡、処理および／またはデータ検出および復号を支援するために、チャネル推定ブロック／モジュール８２２は、時間および／または周波数同期ブロック／モジュール８９４からの出力に基づいて、パイロットプロセッサ８１１および／または空間時間周波数検出および／または復号ブロック／モジュール８１３に推定信号を与え得る。追加または代替として、チャネル推定ブロック／モジュール８２２は、基地局８０２に送信されるべきデータ８１７としてチャネル推定値を与え得る。たとえば、チャネル推定ブロック／モジュール８２２は、１つまたは複数のストリーム８１９を介して基地局８０２にフィードバック（たとえば、チャネル推定報告）を送る際に採用され得る。追加または代替として、デフォーマッティングおよび離散フーリエ変換は、全情報シーケンスのペイロードデータ部分に関して既知の送信シーケンスのためのものと同じである場合、推定信号は、離散フーリエ変換（ＤＦＴ）ブロック／モジュール８９８からの出力に基づいてパイロットプロセッサ８１１および／または空間時間周波数検出および／または復号ブロック／モジュール８１３に与えられ得る。
【０１２８】
[00138]いくつかの構成では、ワイヤレス通信デバイス８０４は、（受信される通信のための）チャネル帯域幅を決定し得る。たとえば、ワイヤレス通信デバイス８０４は、基地局８０２から、チャネル帯域幅を示す帯域幅指示を受信し得る。たとえば、ワイヤレス通信デバイス８０４は、明示的または暗黙的帯域幅指示を取得し得る。一構成では、帯域幅指示は、２０ＭＨｚ、４０ＭＨｚ、８０ＭＨｚまたは１６０ＭＨｚのチャネル帯域幅を示し得る。ワイヤレス通信デバイス８０４は、この指示に基づいて、受信される通信のための帯域幅を決定し、決定された帯域幅の指示をパイロットプロセッサ８１１および／または空間時間周波数検出／復号ブロック／モジュール８１３に与え得る。
【０１２９】
[00139]空間時間周波数検出／復号ブロック／モジュール８１３は、受信信号からデータを検出および／または復号するために、決定された帯域幅指示を使用し得る。いくつかの構成では、空間時間周波数検出／復号ブロック／モジュール８１３は、指定された帯域幅のために受信すべきトーンまたはサブキャリア８２１の数を決定するために、ルックアップテーブルを使用し得る。
【０１３０】
[00140]図８に示された構成では、ワイヤレス通信デバイス８０４は送信機８２４を含み得る。送信機８２４は、データ８１５を基地局８０２に送信するために、基地局８０２中に含まれる要素８５６、８５８、８６０、８６２、８６４、８７０、８７２、８７４、８７６、８７８、８８０、８８４、８８６のうちの１つまたは複数によって実行される動作と同様の動作を実行し得る。
【０１３１】
[00141]図８に示された構成では、基地局８０２は、受信機８０６およびチャネル変動メトリック計算ブロック／モジュール８０８を含み得る。図８の受信機８０６は、図１に関して説明された受信機１０６の一例であり得る。さらに、受信機８０６は、１つまたは複数のワイヤレス通信デバイス８０４から受信されたデータを取得するために、ワイヤレス通信デバイス８０４中に含まれる要素８１３、８１１、８９８、８９６、８９４、８９２、８９０、８２２のうちの１つまたは複数によって実行される動作と同様の動作を実行し得る。したがって、図８に示されているように、基地局８０２とワイヤレス通信デバイス８０４との間の双方向通信は、１つまたは複数のストリーム８１９上でおよび１つまたは複数のサブキャリア８２１上で行われ得る。チャネル変動メトリック計算ブロック／モジュール８０８は、図１に関して説明されたチャネル変動メトリック計算ブロック／モジュール１０８に従って動作し得る。
【０１３２】
[00142]図９は、多入力多出力（ＭＩＭＯ）システムにおいて使用され得る通信デバイス９０３のブロック図である。通信デバイス９０３の例としては、基地局１０２、ワイヤレス通信デバイス１０４、アクセスポイント４０２、第１のクライアント４０４ａ、第２のクライアント４０４ｂ、基地局５０２、第１のワイヤレス通信デバイス５０４ａ、第２のワイヤレス通信デバイス５０４ｂ、基地局８０２、ワイヤレス通信デバイス８０４、基地局、ユーザ機器（ＵＥ）などがあり得る。通信デバイス９０３では、いくつかのデータストリームのトラフィックデータは、１つまたは複数のデータソース９２９および／またはアプリケーションプロセッサ９３１からベースバンドプロセッサ９３５に与えられる。特に、トラフィックデータは、ベースバンドプロセッサ９３５中に含まれる送信処理ブロック／モジュール９３９に与えられ得る。各データストリームは、次いで、それぞれの送信アンテナ９１４ａ〜ｎを介して送信され得る。送信処理ブロック／モジュール９３９は、コード化データを与えるために、各データストリームのトラフィックデータを、そのデータストリームのために選択された特定のコーディング方式に基づいてフォーマットし、コーディングし、インターリーブし得る。
【０１３３】
[00143]送信処理ブロック／モジュール９３９は、図２、図３および図６に示された方法２００、３００、６００のうちの１つまたは複数を実行し得る。たとえば、送信処理ブロック／モジュール９３９は、上記で説明されたように、基地局１０２におけるフィードバック要求を処理する。
【０１３４】
[00144]各データストリームのコード化データは、直交周波数分割多重化（ＯＦＤＭ）技法を使用して、パイロット生成器９３７からのパイロットデータと多重化され得る。パイロットデータは、既知の方法で処理され、チャネル応答を推定するために受信機において使用される、既知のデータパターンであり得る。各ストリームの多重化されたパイロットおよびコード化データは、次いで、変調シンボルを与えるために、そのデータストリーム用に選択された特定の変調方式（たとえば、２位相シフトキーイング（ＢＰＳＫ）、４位相シフトキーイング（ＱＰＳＫ）、多相シフトキーイング（Ｍ−ＰＳＫ）、直交振幅変調（ＱＡＭ）または多値直交振幅変調（Ｍ−ＱＡＭ））に基づいて変調（すなわち、シンボルマッピング）される。各データストリームのためのデータレート、コーディングおよび変調は、プロセッサ（たとえば、ベースバンドプロセッサ９３５、アプリケーションプロセッサ９３１など）によって実行される命令によって決定され得る。
【０１３５】
[00145]すべてのデータストリームのための変調シンボルが送信（ＴＸ）多入力多出力（ＭＩＭＯ）処理ブロック／モジュール９４９に与えられ得、送信（ＴＸ）多入力多出力（ＭＩＭＯ）処理ブロック／モジュール９４９はさらに（たとえば、ＯＦＤＭのために）変調シンボルを処理し得る。送信（ＴＸ）多入力多出力（ＭＩＭＯ）処理ブロック／モジュール９４９は、次いで、いくつかの変調シンボルストリームを送信機９５３ａ〜ｎに与える。送信（ＴＸ）多入力多出力（ＭＩＭＯ）処理ブロック／モジュール９４９は、データストリームのシンボルに、およびシンボルがそれから送信されているアンテナ９１４にビームフォーミング重みを適用し得る。
【０１３６】
[00146]各送信機９５３は、それぞれのシンボルストリームを受信し、処理して、１つまたは複数のアナログ信号を与え、それらのアナログ信号をさらに調整（たとえば、増幅、フィルタ処理、およびアップコンバート）して、ＭＩＭＯチャネルを介して送信するのに適した被変調信号を与え得る。送信機９５３ａ〜ｎからの被変調信号は、次いで、それぞれアンテナ９１４ａ〜ｎから送信される。たとえば、被変調信号は（図９に示されていない）別の通信デバイスに送信され得る。
【０１３７】
[00147]通信デバイス９０３は（別の通信デバイスから）被変調信号を受信し得る。これらの被変調信号はアンテナ９１４によって受信され、受信機９５３によって調整（たとえば、フィルタ処理、増幅、ダウンコンバート、デジタル化）される。言い換えれば、各受信機９５３は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【０１３８】
[00148]ベースバンドプロセッサ９３５中に含まれる受信処理ブロック／モジュール９４５が、次いで、受信機９５３から受信シンボルストリームを受信し、特定の受信機処理技法に基づいて処理して、いくつかの「検出」ストリームを与える。受信処理ブロック／モジュール９４５は、各ストリームを復調し、デインターリーブし、復号して、データストリームのトラフィックデータを復元する。
【０１３９】
[00149]受信処理ブロック／モジュール９４５は、図２、図３および図６に示された方法２００、３００、６００を実行し得る。たとえば、受信処理ブロック／モジュール９４５はチャネル変動メトリック計算ブロック／モジュール９０８を含み得る。チャネル変動メトリック計算ブロック／モジュール９０８はチャネル変動メトリックを決定し得る。
【０１４０】
[00150]ベースバンドプロセッサ９３５中に含まれるプリコーディング処理ブロック／モジュール９４３は、受信処理ブロック／モジュール９４５からチャネル状態情報（ＣＳＩ）を受信し得る。プリコーディング処理ブロック／モジュール９４３は、次いで、ビームフォーミング重みを決定するためにどのプリコーディング行列を使用すべきかを決定し、次いで、抽出されたメッセージを処理する。ベースバンドプロセッサ９３５は、ベースバンドメモリ９５１に情報を記憶し、ベースバンドメモリ９５１から情報を取り出し得ることに留意されたい。
【０１４１】
[00151]ベースバンドプロセッサ９３５によって復元されたトラフィックデータは、アプリケーションプロセッサ９３１に与えられ得る。アプリケーションプロセッサ９３１は、アプリケーションメモリ９３３に情報を記憶し、アプリケーションメモリ９３３から情報を取り出し得る。
【０１４２】
[00152]図１０は、基地局１００２内に含まれ得るいくつかの構成要素を示している。上記で説明された基地局１０２、アクセスポイント４０２、基地局８０２および通信デバイス９０３は、図１０に示されている基地局１００２と同様に構成され得る。基地局１００２の例としては、基地局、アクセスポイントなどがあり得る。
【０１４３】
[00153]基地局１００２はプロセッサ１０７５を含む。プロセッサ１０７５は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１０７５は中央処理ユニット（ＣＰＵ）と呼ばれることがある。図１０の基地局１００２では単一のプロセッサ１０７５のみが示されているが、代替構成では、プロセッサの組合せ（たとえば、ＡＲＭおよびＤＳＰ）が使用され得る。
【０１４４】
[00154]基地局１００２はまた、プロセッサ１０７５と電子通信しているメモリ１０５９を含む（すなわち、プロセッサ１０７５は、メモリ１０５９から情報を読み取り、および／またはメモリ１０５９に情報を書き込むことができる）。メモリ１０５９は、電子情報を記憶することが可能な任意の電子的構成要素であり得る。メモリ１０５９は、ランダムアクセスメモリ（ＲＡＭ）、読取り専用メモリ（ＲＯＭ）、磁気ディスク記憶媒体、光記憶媒体、ＲＡＭ内のフラッシュメモリデバイス、プロセッサとともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ（登録商標））、レジスタなど、およびそれらの組合せであり得る。
【０１４５】
[00155]データ１０６１ｂおよび命令１０６３ｂがメモリ１０５９に記憶され得る。命令１０６３は、１つまたは複数のプログラム、ルーチン、サブルーチン、関数、プロシージャ、コードなどを含み得る。命令１０６３は、単一のコンピュータ可読ステートメントまたは多くのコンピュータ可読ステートメントを含み得る。命令１０６３は、上記で説明された方法２００、３００、６００のうちの１つまたは複数を実装するために、プロセッサ１０７５によって実行可能であり得る。命令１０６３を実行することは、メモリ１０５９に記憶されたデータ１０６１の使用を伴い得る。図１０は、プロセッサ１０７５にロードされている（メモリ１０５９中の命令１０６３ｂおよびデータ１０６１ｂから来ることがある）いくつかの命令１０６３ａおよびデータ１０６１ａを示している。
【０１４６】
[00156]基地局１００２はまた、基地局１００２と遠隔ロケーション（たとえば、別の通信デバイス、アクセス端末、アクセスポイントなど）との間の信号の送信および受信を可能にするために、送信機１０７１と受信機１０７３とを含み得る。送信機１０７１および受信機１０７３は、トランシーバ１０６９と総称され得る。アンテナ１０１４はトランシーバ１０６９に電気的に結合され得る。基地局１００２はまた、複数の送信機、複数の受信機、複数のトランシーバおよび／または複数のアンテナを含み得る（図示せず）。
【０１４７】
[00157]基地局１００２の様々な構成要素は、電力バス、制御信号バス、ステータス信号バス、データバスなどを含み得る、１つまたは複数のバスによって互いに結合され得る。簡単のために、図１０では様々なバスはバスシステム１０６５として示されている。
【０１４８】
[00158]図１１は、ワイヤレス通信デバイス１１０４内に含まれ得るいくつかの構成要素を示している。上記で説明されたワイヤレス通信デバイス１０４、第１のクライアント４０４ａ、第２のクライアント４０４ｂ、第１のワイヤレス通信デバイス５０４ａ、第２のワイヤレス通信デバイス５０４ｂ、ワイヤレス通信デバイス８０４、通信デバイス９０３のうちの１つまたは複数は、図１１に示されているワイヤレス通信デバイス１１０４と同様に構成され得る。
【０１４９】
[00159]ワイヤレス通信デバイス１１０４はプロセッサ１１９７を含む。プロセッサ１１９７は、汎用シングルまたはマルチチップマイクロプロセッサ（たとえば、ＡＲＭ）、専用マイクロプロセッサ（たとえば、デジタル信号プロセッサ（ＤＳＰ））、マイクロコントローラ、プログラマブルゲートアレイなどであり得る。プロセッサ１１９７は中央処理ユニット（ＣＰＵ）と呼ばれることがある。図１１のワイヤレス通信デバイス１１０４では単一のプロセッサ１１９７のみが示されているが、代替構成では、プロセッサ１１９７の組合せ（たとえば、ＡＲＭおよびＤＳＰ）が使用され得る。
【０１５０】
[00160]ワイヤレス通信デバイス１１０４はまた、プロセッサ１１９７と電子通信しているメモリ１１７９を含む（すなわち、プロセッサ１１９７は、メモリ１１７９から情報を読み取り、および／またはメモリ１１７９に情報を書き込むことができる）。メモリ１１７９は、電子情報を記憶することが可能な任意の電子的構成要素であり得る。メモリ１１７９は、ランダムアクセスメモリ（ＲＡＭ）、読取り専用メモリ（ＲＯＭ）、磁気ディスク記憶媒体、光記憶媒体、ＲＡＭ中のフラッシュメモリデバイス、プロセッサ１１９７とともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【０１５１】
[00161]データ１１８１ａおよび命令１１８３ａがメモリ１１７９に記憶され得る。命令１１８３ａは、１つまたは複数のプログラム、ルーチン、サブルーチン、関数、プロシージャ、コードなどを含み得る。命令１１８３ａは、単一のコンピュータ可読ステートメントまたは多くのコンピュータ可読ステートメントを含み得る。命令１１８３ａは、上記で説明された方法２００、３００、６００のうちの１つまたは複数を実装するために、プロセッサ１１９７によって実行可能であり得る。命令１１８３ａを実行することは、メモリ１１７９に記憶されたデータ１１８１ａの使用を伴い得る。図１１は、プロセッサ１１９７にロードされている（メモリ１１７９中の命令１１８３ａおよびデータ１１８１ａから来ることがある）いくつかの命令１１８３ｂおよびデータ１１８１ｂを示している。
【０１５２】
[00162]ワイヤレス通信デバイス１１０４はまた、ワイヤレス通信デバイス１１０４と遠隔ロケーション（たとえば、別の電子デバイス、通信デバイスなど）との間の信号の送信および受信を可能にするために、送信機１１９３と受信機１１９５とを含み得る。送信機１１９３および受信機１１９５は、トランシーバ１１９１と総称され得る。アンテナ１１１６はトランシーバ１１９１に電気的に結合され得る。ワイヤレス通信デバイス１１０４はまた、複数の送信機１１９３、複数の受信機１１９５、複数のトランシーバ１１９１および／または複数のアンテナ１１１６を含み得る（図示せず）。
【０１５３】
[00163]ワイヤレス通信デバイス１１０４の様々な構成要素は、電力バス、制御信号バス、ステータス信号バス、データバスなどを含み得る、１つまたは複数のバスによって互いに結合され得る。簡単のために、図１１では様々なバスはバスシステム１１８９として示されている。
【０１５４】
[00164]上記の説明では、様々な用語とともに参照番号が時々使用された。用語が参照番号とともに使用されている場合、これは、図のうちの１つまたは複数に示された特定の要素を指すものとされ得る。用語が参照番号を伴わずに使用されている場合、これは、特定の図に限定されない用語を全般に指すものとされ得る。
【０１５５】
[00165]「決定」という用語は、多種多様なアクションを包含し、したがって、「決定」は、計算、算出、処理、導出、調査、ルックアップ（たとえば、テーブル、データベースまたは別のデータ構造でのルックアップ）、確認などを含むことができる。また、「決定」は、受信（たとえば、情報を受信すること）、アクセス（たとえば、メモリ中のデータにアクセスすること）などを含むことができる。また、「決定」は、解決、選択、選定、確立などを含むことができる。
【０１５６】
[00166]「に基づいて」という句は、別段に明記されていない限り、「のみに基づいて」を意味しない。言い換えれば、「に基づいて」という句は、「のみに基づいて」と「に少なくとも基づいて」の両方を表す。
【０１５７】
[00167]本明細書で説明された機能は、１つまたは複数の命令としてプロセッサ可読媒体またはコンピュータ可読媒体上に記憶され得る。「コンピュータ可読媒体」という用語は、コンピュータまたはプロセッサによってアクセスされ得る任意の利用可能な媒体を指す。限定ではなく例として、そのような媒体は、ＲＡＭ、ＲＯＭ、ＥＥＰＲＯＭ、フラッシュメモリ、ＣＤ−ＲＯＭもしくは他の光ディスクストレージ、磁気ディスクストレージもしくは他の磁気ストレージデバイス、または、命令またはデータ構造の形態の所望のプログラムコードを記憶することができ、コンピュータまたはプロセッサによってアクセスされ得る任意の他の媒体を備え得る。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。コンピュータ可読媒体は、有形で非一時的であり得ることに留意されたい。「コンピュータプログラム製品」という用語は、コンピューティングデバイスまたはプロセッサによって実行、処理または算出され得るコードまたは命令（たとえば、「プログラム」）と組み合わせたコンピューティングデバイスまたはプロセッサを指す。本明細書で使用される「コード」という用語は、コンピューティングデバイスまたはプロセッサによって実行可能であるソフトウェア、命令、コードまたはデータを指し得る。
【０１５８】
[00168]ソフトウェアまたは命令はまた、伝送媒体を介して送信され得る。たとえば、ソフトウェアが、同軸ケーブル、光ファイバーケーブル、ツイストペア、デジタル加入者ライン（ＤＳＬ）、または赤外線、無線およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線およびマイクロ波などのワイヤレス技術は、伝送媒体の定義に含まれる。
【０１５９】
[00169]本明細書で開示される方法は、説明された方法を達成するための１つまたは複数のステップまたは動作を備える。本方法のステップおよび／または動作は、特許請求の範囲から逸脱することなく互いに交換され得る。言い換えれば、説明されている方法の適切な動作のためにステップまたは動作の特定の順序が必要とされない限り、特定のステップおよび／または動作の順序および／または使用は、特許請求の範囲から逸脱することなく修正され得る。
【０１６０】
[00170]特許請求の範囲は、上記に示された厳密な構成および構成要素に限定されないことを理解されたい。特許請求の範囲から逸脱することなく、本明細書で説明されたシステム、方法、および装置の構成、動作および詳細において、様々な修正、変更および変形が行われ得る。
以下に、出願当初の特許請求の範囲に記載された発明を付記する。
［Ｃ１］
電子デバイスによってチャネル変動メトリックを決定するための方法であって、
第１のパケットを受信することと、
第２のパケットを受信することと、
第１のパケットに対応する第１のチャネル推定値および第２のパケットに対応する第２のチャネル推定値に基づいて平均２乗誤差値を近似するチャネル変動メトリックを決定することと、
前記チャネル変動メトリックに基づいてオペレーションを実行することと、
を備える、方法。
［Ｃ２］
前記チャネル変動メトリックは利得変動および位相変動に不感である、Ｃ１に記載の方法。
［Ｃ３］
オペレーションを実行することは、開ループモード、シングルユーザ多入力多出力（ＳＵ−ＭＩＭＯ）モード、およびマルチユーザ多入力多出力（ＭＵ−ＭＩＭＯ）モードのうちの少なくとも２つの間で切り替わることを備える、Ｃ１に記載の方法。
［Ｃ４］
オペレーションを実行することは、フィードバックを要求することを備える、Ｃ１に記載の方法。
［Ｃ５］
フィードバックを要求することは、前記チャネル変動メトリックがしきい値よりも小さいときに起こる、Ｃ４に記載の方法。
［Ｃ６］
オペレーションを実行することは、フィードバックを要求することなしに、マルチユーザ多入力多出力（ＭＵ−ＭＩＭＯ）パケットを送ることを備える、Ｃ１に記載の方法。
［Ｃ７］
オペレーションを実行することは、マルチユーザ多入力多出力（ＭＵ−ＭＩＭＯ）およびシングルユーザ多入力多出力（ＳＵ−ＭＩＭＯ）のうちの少なくとも１つについてのフィードバック要求間の最大時間を決定することを備える、Ｃ１に記載の方法。
［Ｃ８］
前記チャネル変動メトリックを決定することは、
前記第１のパケットおよび前記第２のパケットに対応するチャネル測定値の絶対値を決定することと、
アンテナごとの平均振幅を決定することと、
アンテナごとの前記平均振幅に基づいて正規化値を決定することと、
前記正規化値を減算することと、
を備える、Ｃ１に記載の方法。
［Ｃ９］
前記チャネル変動メトリックを決定することは、トーンのサブセットに基づく、Ｃ１に記載の方法。
［Ｃ１０］
チャネル変動メトリックを決定するための通信デバイスであって、
第１のパケットを受信し、第２のパケットを受信する受信機回路と、
前記受信機回路に結合されたチャネル変動メトリック計算回路と、ここで、前記チャネル変動メトリック計算回路は、第１のパケットに対応する第１のチャネル推定値および第２のパケットに対応する第２のチャネル推定値に基づいて平均２乗誤差値を近似するチャネル変動メトリックを決定する、
前記チャネル変動メトリック計算回路に結合されたオペレーション回路と、ここで、前記オペレーション回路は、前記チャネル変動メトリックに基づいてオペレーションを実行する、
を備える、通信デバイス。
［Ｃ１１］
前記チャネル変動メトリックが利得変動および位相変動に不感である、Ｃ１０に記載の通信デバイス。
［Ｃ１２］
オペレーションを実行することは、開ループモード、シングルユーザ多入力多出力（ＳＵ−ＭＩＭＯ）モード、およびマルチユーザ多入力多出力（ＭＵ−ＭＩＭＯ）モードのうちの少なくとも２つの間で切り替わることを備える、Ｃ１０に記載の通信デバイス。
［Ｃ１３］
オペレーションを実行することは、フィードバックを要求することを備える、Ｃ１０に記載の通信デバイス。
［Ｃ１４］
フィードバックを要求することは、前記チャネル変動メトリックがしきい値よりも小さいときに起こる、Ｃ１３に記載の通信デバイス。
［Ｃ１５］
オペレーションを実行することは、フィードバックを要求することなしにマルチユーザ多入力多出力（ＭＵ−ＭＩＭＯ）パケットを送ることを備える、Ｃ１０に記載の通信デバイス。
［Ｃ１６］
オペレーションを実行することは、マルチユーザ多入力多出力（ＭＵ−ＭＩＭＯ）およびシングルユーザ多入力多出力（ＳＵ−ＭＩＭＯ）のうちの少なくとも１つについてのフィードバック要求間の最大時間を決定することを備える、Ｃ１０に記載の通信デバイス。
［Ｃ１７］
前記チャネル変動メトリックを決定することは、
前記第１のパケットおよび前記第２のパケットに対応するチャネル測定値の絶対値を決定することと、
アンテナごとの平均振幅を決定することと、
アンテナごとの前記平均振幅に基づいて正規化値を決定することと、
前記正規化値を減算することと、
を備える、Ｃ１０に記載の通信デバイス。
［Ｃ１８］
前記チャネル変動メトリックを決定することは、トーンのサブセットに基づく、Ｃ１０に記載の通信デバイス。
［Ｃ１９］
命令を有する非一時的有形コンピュータ可読媒体を備える、チャネル変動メトリックを決定するためのコンピュータプログラム製品であって、前記命令は、
通信デバイスに、第１のパケットを受信させるためのコードと、
前記通信デバイスに、第２のパケットを受信させるためのコードと、
前記通信デバイスに、第１のパケットに対応する第１のチャネル推定値および第２のパケットに対応する第２のチャネル推定値に基づいて平均２乗誤差値を近似するチャネル変動メトリックを決定させるためのコードと、
前記通信デバイスに、前記チャネル変動メトリックに基づいてオペレーションを実行させるためのコードと、
を備える、コンピュータプログラム製品。
［Ｃ２０］
前記チャネル変動メトリックは利得変動および位相変動に不感である、Ｃ１９に記載のコンピュータプログラム製品。
［Ｃ２１］
前記通信デバイスに実行させるためのコードは、前記通信デバイスに、開ループモード、シングルユーザ多入力多出力（ＳＵ−ＭＩＭＯ）モード、およびマルチユーザ多入力多出力（ＭＵ−ＭＩＭＯ）モードのうちの少なくとも２つの間で切り替えさせるためのコードを備える、Ｃ１９に記載のコンピュータプログラム製品。
［Ｃ２２］
前記通信デバイスにオペレーションを実行させるためのコードは、前記通信デバイスに、フィードバックを要求させるためのコードを備える、Ｃ１９に記載のコンピュータプログラム製品。
［Ｃ２３］
フィードバックを要求することは、前記チャネル変動メトリックがしきい値よりも小さいときに起こる、Ｃ２２に記載のコンピュータプログラム製品。
［Ｃ２４］
オペレーションを実行することは、フィードバックを要求することなしにマルチユーザ多入力多出力（ＭＵ−ＭＩＭＯ）パケットを送ることを備える、Ｃ１９に記載のコンピュータプログラム製品。
［Ｃ２５］
前記通信デバイスに実行させるためのコードは、前記通信デバイスに、マルチユーザ多入力多出力（ＭＵ−ＭＩＭＯ）およびシングルユーザ多入力多出力（ＳＵ−ＭＩＭＯ）のうちの少なくとも１つについてのフィードバック要求間の最大時間を決定させるためのコードを備える、Ｃ１９に記載のコンピュータプログラム製品。
［Ｃ２６］
前記通信デバイスに前記チャネル変動メトリックを決定させるためのコードは、
前記通信デバイスに前記第１のパケットおよび前記第２のパケットに対応するチャネル測定値の絶対値を決定させるためのコードと、
前記通信デバイスに、アンテナごとの平均振幅を決定させるためのコードと、
前記通信デバイスに、アンテナごとの前記平均振幅に基づいて正規化値を決定させるためのコードと、
前記通信デバイスに、前記正規化値を減算させるためのコードと、
を備える、Ｃ１９に記載のコンピュータプログラム製品。
［Ｃ２７］
前記通信デバイスに前記チャネル変動メトリックを決定させるためのコードは、トーンのサブセットに基づく、Ｃ１９に記載のコンピュータプログラム製品。
［Ｃ２８］
チャネル変動メトリックを決定するための装置であって、
第１のパケットを受信するための手段と、
第２のパケットを受信するための手段と、
第１のパケットに対応する第１のチャネル推定値および第２のパケットに対応する第２のチャネル推定値に基づいて平均２乗誤差値を近似するチャネル変動メトリックを決定するための手段と、
前記チャネル変動メトリックに基づいてオペレーションを実行するための手段と、
を備える、装置。
［Ｃ２９］
前記チャネル変動メトリックは利得変動および位相変動に不感である、Ｃ２８に記載の装置。
［Ｃ３０］
オペレーションを実行するための手段は、開ループモード、シングルユーザ多入力多出力（ＳＵ−ＭＩＭＯ）モード、およびマルチユーザ多入力多出力（ＭＵ−ＭＩＭＯ）モードのうちの少なくとも２つの間で切り替わるための手段を備える、Ｃ２８に記載の装置。
［Ｃ３１］
オペレーションを実行するための手段は、フィードバックを要求するための手段を備える、Ｃ２８に記載の装置。
［Ｃ３２］
フィードバックを要求することは、前記チャネル変動メトリックがしきい値よりも小さいときに起こる、Ｃ３１に記載の装置。
［Ｃ３３］
オペレーションを実行するための手段は、フィードバックを要求することなしにマルチユーザ多入力多出力（ＭＵ−ＭＩＭＯ）パケットを送るための手段を備える、Ｃ２８に記載の装置。
［Ｃ３４］
オペレーションを実行するための手段は、マルチユーザ多入力多出力（ＭＵ−ＭＩＭＯ）およびシングルユーザ多入力多出力（ＳＵ−ＭＩＭＯ）のうちの少なくとも１つについてのフィードバック要求間の最大時間を決定するための手段を備える、Ｃ２８に記載の装置。
［Ｃ３５］
前記チャネル変動メトリックを決定するための手段は、
前記第１のパケットおよび前記第２のパケットに対応するチャネル測定値の絶対値を決定するための手段と、
アンテナごとの平均振幅を決定するための手段と、
アンテナごとの前記平均振幅に基づいて正規化値を決定するための手段と、
前記正規化値を減算するための手段と、
を備える、Ｃ２８に記載の装置。
［Ｃ３６］
前記チャネル変動メトリックを決定するための手段は、トーンのサブセットに基づく、Ｃ２８に記載の装置。
【要約】  電子デバイスによってチャネル変動メトリックを決定するための方法について説明される。本方法は、第１のパケットを受信することを含む。本方法はまた、第２のパケットを受信することを含む。本方法はさらに、第１のパケットに対応する第１のチャネル推定値および第２のパケットに対応する第２のチャネル推定値に基づいて平均２乗誤差値を近似するチャネル変動メトリックを決定することを含む。本方法はさらに、チャネル変動メトリックに基づいてオペレーションを実行することを含む。
【選択図】図１【図１】
0005902363.tif 000002
【図２】
0005902363.tif 000003
【図３】
0005902363.tif 000004
【図４】
0005902363.tif 000005
【図５】
0005902363.tif 000006
【図６】
0005902363.tif 000007
【図７】
0005902363.tif 000008
【図８】
0005902363.tif 000009
【図９】
0005902363.tif 000010
【図１０】
0005902363.tif 000011
【図１１】
0005902363.tif 000012